(57)【要約】【課題】撮影画像の編集を行う利用者が、自分の好きな編集内容を容易に見つけることができるようにする。【解決手段】本発明の画像処理装置は、利用者を被写体として複数回の撮影を行い、利用者による編集入力に応じて撮影画像を編集する。また、画像処理装置は、撮影画像の編集時、編集入力の見本となる、合成用画像を人物の画像に合成した複数の見本画像を表示する、編集対象の撮影画像の配置領域と同等以上の大きさの表示領域を、編集対象の撮影画像に少なくとも一部が重なるように表示させる。本発明は、撮影した画像をシール紙に印刷する写真シール作成装置に適用することができる。【選択図】図２３
2015034936.tif 000002
【特許請求の範囲】
【請求項１】
利用者を被写体として複数回の撮影を行い、複数の撮影画像を取得する撮影手段と、
前記利用者による編集入力に応じて前記撮影画像を編集し、編集画像を生成する編集手段と、
前記編集入力の見本となる、合成用画像を人物の画像に合成した複数の見本画像を表示する、編集対象の前記撮影画像の配置領域と同等以上の大きさの表示領域を、編集対象の前記撮影画像に少なくとも一部が重なるように表示させる表示制御手段と
を備える画像処理装置。
【請求項２】
前記編集手段は、複数の前記見本画像の中から選択された前記見本画像に含まれる前記合成用画像を、編集対象の前記撮影画像に合成する
請求項１に記載の画像処理装置。
【請求項３】
前記表示制御手段は、前記編集手段により前記合成用画像が合成された前記撮影画像を表示させる
請求項２に記載の画像処理装置。
【請求項４】
前記人物の画像は、モデルの人物が写る画像、または、前記利用者自身が写る画像である
請求項１乃至３のいずれかに記載の画像処理装置。
【請求項５】
前記表示制御手段は、前記表示領域に、大きさが異なる複数の前記見本画像を表示させる
請求項１乃至４のいずれかに記載の画像処理装置。
【請求項６】
前記表示制御手段は、前記表示領域をスライド形式で出現させる
請求項１乃至５のいずれかに記載の画像処理装置。
【請求項７】
前記表示制御手段は、前記利用者の操作に応じて、それぞれに異なる前記見本画像が表示される複数の前記表示領域を切り替えて表示させる
請求項１乃至６のいずれかに記載の画像処理装置。
【請求項８】
前記撮影手段による撮影コースには、前記利用者の上半身が中心として写る前記撮影画像であるアップ画像および前記利用者のほぼ全身が写る前記撮影画像である全身画像を取得するように画角を変えて撮影を行う第１の撮影コースと、画角を変えないで撮影を行う第２の撮影コースとがあり、
前記表示制御手段は、前記第１の撮影コースによる撮影が前記撮影手段により行われた場合、人物の上半身が中心として写る画像に前記合成用画像を合成した前記見本画像と、人物のほぼ全身が写る画像に前記合成用画像を合成した前記見本画像とを前記表示領域に表示させる
請求項１乃至７のいずれかに記載の画像処理装置。
【請求項９】
前記表示制御手段は、人物の上半身が中心として写る画像に前記合成用画像を合成した複数の前記見本画像が表示される前記表示領域と、人物のほぼ全身が写る画像に前記合成用画像を合成した複数の前記見本画像が表示される前記表示領域とを切り替えて表示させる
請求項８に記載の画像処理装置。
【請求項１０】
前記アップ画像と前記全身画像は縦横比が異なる画像であり、
編集対象の前記撮影画像との合成に用いる前記合成用画像として、縦横比が異なる、前記アップ画像用の前記合成用画像と前記全身画像用の前記合成用画像とを記憶する記憶手段をさらに備え、
前記編集手段は、編集対象の前記撮影画像が前記アップ画像である場合、選択された前記見本画像に含まれる前記合成用画像と同じ内容の前記アップ画像用の前記合成用画像を編集対象の前記アップ画像に合成し、編集対象の前記撮影画像が前記全身画像である場合、選択された前記見本画像に含まれる前記合成用画像と同じ内容の前記全身画像用の前記合成用画像を編集対象の前記全身画像に合成する
請求項８または９に記載の画像処理装置。
【請求項１１】
それぞれの前記見本画像は、複数種類の前記合成用画像が合成された画像である
請求項１乃至１０のいずれかに記載の画像処理装置。
【請求項１２】
利用者を被写体として複数回の撮影を行い、複数の撮影画像を取得し、
前記利用者による編集入力に応じて前記撮影画像を編集し、編集画像を生成し、
前記編集入力の見本となる、合成用画像を人物の画像に合成した複数の見本画像を表示する、編集対象の前記撮影画像の配置領域と同等以上の大きさの表示領域を、編集対象の前記撮影画像に少なくとも一部が重なるように表示させる
ステップを含む表示制御方法。
【発明の詳細な説明】
【技術分野】
【０００１】
本発明は、画像処理装置および表示制御方法に関し、特に、撮影画像の編集を行う利用者が、自分の好きな編集内容を容易に見つけることができるようにした画像処理装置および表示制御方法に関する。
【背景技術】
【０００２】
利用者を撮影し、撮影画像に対して利用者に編集（落書き）を行わせ、編集後の画像をシール紙に印刷して提供する写真シール機が知られている。このような写真シール機は娯楽（遊戯）施設等に設置される。
【０００３】
撮影画像の編集は、タッチペンなどを使って任意の編集ツールを選択し、選択した編集ツールに応じた文字や図形等を、複数の撮影画像の中から選択した編集対象の撮影画像に合成するようにして行われる。利用者のニーズの多様化などに伴って様々な編集ツールが用意されていることから、好みの編集ツールを素早く見つけ出し、編集を効率的に行うことができるようにするための技術が各種提案されている。
【０００４】
特許文献１には、編集時、編集を予め施しておいた人物モデルの画像である編集済みモデルサンプル画像を編集画面に表示させる技術が開示されている。編集済みモデルサンプル画像を押下することにより、編集済みモデルサンプル画像で用いられている編集と同じ内容の編集を編集対象の画像に一括で入力することができるようになされている。
【０００５】
特許文献２には、編集ツールを選択するためのボタンなどが表示されるコンテンツパレットにある一覧メニューボタンが操作されたとき、コンテンツパレットと編集対象画像に重畳する形でペン種類一覧メニュー画面を表示させる技術が開示されている。ペン種類一覧メニュー画面に並べて表示されるボタンには、それぞれのペンツールの名称が、そのペンツールで入力できる画像を用いて表示される。
【０００６】
特許文献３には、編集画面にあるカテゴリ一覧ボタンが操作されたとき、編集に用いることができる編集コンテンツのカテゴリを表すアイコンを含むカテゴリ一覧メニューを表示させる技術が開示されている。カテゴリ一覧メニューには、ハートやスターなどのカテゴリ毎に、カテゴリを表す文字とともに、そのカテゴリに分類されるスタンプ画像が表示される。
【先行技術文献】
【特許文献】
【０００７】
【特許文献１】特開２００９−２５８４８８号公報
【特許文献２】特開２００９−１３４０３６号公報
【特許文献３】特開２０１２−２４２６４５号公報
【発明の概要】
【発明が解決しようとする課題】
【０００８】
特許文献１に記載の技術においては、表示領域が限られていることから、編集画面に表示される編集済みモデルサンプル画像が１枚だけであり、その編集済みモデルサンプル画像で使われている編集の内容が気に入らない場合がある。そして、気にいるものになるまでやり直さなければならないため、手間と時間がかかっていた。
【０００９】
また、特許文献２，３に記載の技術においては、編集に用いる画像（合成用画像）を容易に選択することができるが、合成用画像の配置は利用者自身が行うものであるため、特に初心者にとっては、見映えのよい編集画像を作成することが難しい。複数枚の合成用画像を合成するには、より時間がかかっていた。
【００１０】
本発明はこのような状況に鑑みてなされたものであり、撮影画像の編集を行う利用者が、自分の好きな編集内容を容易に見つけることができるようにするものである。
【課題を解決するための手段】
【００１１】
本発明の画像処理装置は、利用者を被写体として複数回の撮影を行い、複数の撮影画像を取得する撮影手段と、利用者による編集入力に応じて撮影画像を編集し、編集画像を生成する編集手段と、編集入力の見本となる、合成用画像を人物の画像に合成した複数の見本画像を表示する、編集対象の撮影画像の配置領域と同等以上の大きさの表示領域を、編集対象の撮影画像に少なくとも一部が重なるように表示させる表示制御手段とを備える。
【００１２】
編集手段には、複数の見本画像の中から選択された見本画像に含まれる合成用画像を、編集対象の撮影画像に合成させることができる。
【００１３】
表示制御手段には、編集手段により合成用画像が合成された撮影画像を表示させることができる。
【００１４】
人物の画像は、モデルの人物が写る画像、または、利用者自身が写る画像であるようにすることができる。
【００１５】
表示制御手段には、表示領域に、大きさが異なる複数の見本画像を表示させることができる。
【００１６】
表示制御手段には、表示領域をスライド形式で出現させることができる。スライド形式とは、画像を一定時間で上下左右など一定方向から移動して表示させる方法であり、所定の表示演出を伴う動画表示方法のことである。
【００１７】
表示制御手段には、利用者の操作に応じて、それぞれに異なる見本画像が表示される複数の表示領域を切り替えて表示させることができる。
【００１８】
撮影手段による撮影コースには、利用者の上半身が中心として写る撮影画像であるアップ画像および利用者のほぼ全身が写る撮影画像である全身画像を取得するように画角を変えて撮影を行う第１の撮影コースと、画角を変えないで撮影を行う第２の撮影コースとがある。表示制御手段には、第１の撮影コースによる撮影が撮影手段により行われた場合、人物の上半身が中心として写る画像に合成用画像を合成した見本画像と、人物のほぼ全身が写る画像に合成用画像を合成した見本画像とを表示領域に表示させることができる。
【００１９】
表示制御手段には、人物の上半身が中心として写る画像に合成用画像を合成した複数の見本画像が表示される表示領域と、人物のほぼ全身が写る画像に合成用画像を合成した複数の見本画像が表示される表示領域とを切り替えて表示させることができる。
【００２０】
アップ画像と全身画像は縦横比が異なる画像であり、編集対象の撮影画像との合成に用いる合成用画像として、縦横比が異なる、アップ画像用の合成用画像と全身画像用の合成用画像とを記憶する記憶手段をさらに設けることができる。この場合、編集手段には、編集対象の撮影画像がアップ画像である場合、選択された見本画像に含まれる合成用画像と同じ内容のアップ画像用の合成用画像を編集対象のアップ画像に合成させ、編集対象の撮影画像が全身画像である場合、選択された見本画像に含まれる合成用画像と同じ内容の全身画像用の合成用画像を編集対象の全身画像に合成させることができる。
【００２１】
それぞれの見本画像が、複数種類の合成用画像が合成された画像であるようにすることができる。
【００２２】
本発明の表示制御方法は、利用者を被写体として複数回の撮影を行い、複数の撮影画像を取得し、利用者による編集入力に応じて撮影画像を編集し、編集画像を生成し、編集入力の見本となる、合成用画像を人物の画像に合成した複数の見本画像を表示する、編集対象の撮影画像の配置領域と同等以上の大きさの表示領域を、編集対象の撮影画像に少なくとも一部が重なるように表示させるステップを含む。
【００２３】
本発明においては、編集入力の見本となる、合成用画像を人物の画像に合成した複数の見本画像を表示する、編集対象の撮影画像の配置領域と同等以上の大きさの表示領域が、編集対象の撮影画像に少なくとも一部が重なるように表示される。
【発明の効果】
【００２４】
本発明によれば、撮影画像の編集を行う利用者が、自分の好きな編集内容を容易に見つけることができる。
【図面の簡単な説明】
【００２５】
【図１】写真シール作成装置の外観の構成例を示す斜視図である。
【図２】写真シール作成装置の外観の構成例を示す他の斜視図である。
【図３】利用者の移動について説明する図である。
【図４】撮影部の構成例を示す図である。
【図５】背景部の構成例を示す図である。
【図６】編集部の正面の構成例を示す図である。
【図７】編集部の側面の構成例を示す図である。
【図８】写真シール作成装置の外観の構成例を示すさらに他の斜視図である。
【図９】シール紙の例を示す図である。
【図１０】写真シール作成装置の内部の構成例を示すブロック図である。
【図１１】制御部の機能構成例を示すブロック図である。
【図１２】撮影処理部の構成例を示すブロック図である。
【図１３】編集処理部の構成例を示すブロック図である。
【図１４】写真シール作成ゲームについて説明するフローチャートである。
【図１５】図１４のステップＳ２において行われる撮影処理について説明するフローチャートである。
【図１６】通常撮影の例を示す図である。
【図１７】斜め撮影の例を示す図である。
【図１８】全身撮影の例を示す図である。
【図１９】図１４のステップＳ４において行われる編集処理について説明するフローチャートである。
【図２０】編集画面の例を示す図である。
【図２１】図１９のステップＳ６０において行われる一発落書き処理について説明するフローチャートである。
【図２２】スライドパレットの表示開始直後の編集画面の表示例を示す図である。
【図２３】スライドパレットが表示された編集画面の表示例を示す図である。
【図２４】スライドパレットのスライド形式の例を示す図である。
【図２５】スライドパレットを拡大して示す図である。
【図２６】見本画像の構成例を示す図である。
【図２７】見本画像の他の構成例を示す図である。
【図２８】スライドパレットの表示の切り替えのイメージを示す図である。
【図２９】スライドパレットの移動の例を示す図である。
【図３０】ポップアップウインドウの表示例を示す図である。
【図３１】編集画面の表示例を示す図である。
【図３２】見本画像と合成用画像の例を示す図である。
【図３３】編集画像の例を示す図である。
【図３４】合成用画像からの切り出しの例を示す図である。
【図３５】一発落書き機能を用いた編集画像の表示の切り替えの例を示す図である。
【図３６】加工内容の選択画面の例を示す図である。
【図３７】スライドパレットの組み合わせの例を示す図である。
【図３８】プロフィールセレクトパレットの表示例を示す図である。
【図３９】スライドパレットの表示例を示す図である。
【発明を実施するための形態】
【００２６】
［写真シール作成装置の外観構成］
図１は、写真シール作成装置１の外観の構成例を示す斜視図である。
【００２７】
写真シール作成装置１は撮影画像や編集画像を提供するゲーム機である。画像の提供は、シール紙に印刷した形で行われることもあるし、サーバに送信した画像を利用者の携帯端末上で閲覧可能にする形で行われることもある。写真シール作成装置１はゲームセンタなどの店舗に設置される。利用者は１人であることもあるが、主に、２人や３人等の複数人である。ここでは、利用者が２人である場合について説明する。
【００２８】
写真シール作成装置１で遊ぶ利用者は、自身が被写体となって撮影を行い、撮影によって得られた撮影画像を手書きの文字やスタンプ画像を合成して編集することにより、撮影画像を彩り豊かな画像にする。利用者は、撮影画像や編集済みの画像である編集画像が印刷されたシール紙を受け取って一連のゲームを終了させる。
【００２９】
図１に示すように、写真シール作成装置１は、基本的に、撮影ユニット１１と編集ユニット１２が接した状態で設置されることによって構成される。
【００３０】
撮影ユニット１１は、撮影部２１と背景部２２から構成される。撮影部２１と背景部２２は離して設置され、撮影部２１と背景部２２の間に形成される空間が、利用者が撮影を行う撮影空間となる。
【００３１】
撮影部２１は、利用者を被写体とした撮影処理を行う装置である。撮影部２１は、撮影空間に入った利用者の正面に位置する。撮影空間に臨む撮影部２１の正面には、カメラや各種の操作に用いられるタッチパネルモニタなどが設けられる。撮影空間にいる利用者から見て右側の面を右側面、左側の面を左側面とすると、撮影部２１の右側面が側面パネル４１Ａにより構成され、左側面が側面パネル４１Ｂ（図３）により構成される。
【００３２】
背景部２２は、正面を向いて撮影を行っている利用者の背面側に位置する板状の部材である背面パネル５１、背面パネル５１の右端に取り付けられ、側面パネル４１Ａより横幅の狭い板状の部材である側面パネル５２Ａ、および、背面パネル５１の左端に取り付けられ、側面パネル４１Ｂより横幅の狭い板状の部材である側面パネル５２Ｂ（図３）から構成される。
【００３３】
撮影部２１の右側面を構成する側面パネル４１Ａと背景部２２の側面パネル５２Ａは、ほぼ同一平面に設けられる。側面パネル４１Ａと側面パネル５２Ａは、上部が板状の部材である連結部２３Ａによって連結され、下部が、床面に設けた例えば金属製の部材である連結部２３Ａ’によって連結される。撮影部２１の左側面を構成する側面パネル４１Ｂと背景部２２の側面パネル５２Ｂも同様に、ほぼ同一平面に設けられ、上部において連結部２３Ｂによって連結され、下部において連結部２３Ｂ’（図８）によって連結される。
【００３４】
撮影部２１の側面パネル４１Ａ、連結部２３Ａ、および背景部２２の側面パネル５２Ａに囲まれることによって形成される開口が撮影空間の出入り口となる。また、撮影部２１の側面パネル４１Ｂ、連結部２３Ｂ、および背景部２２の側面パネル５２Ｂに囲まれることによって形成される開口も撮影空間の出入り口となる。
【００３５】
背景部２２の上部には、背面パネル５１、側面パネル５２Ａ、および側面パネル５２Ｂに支持される形でクロマキーカーテンユニット２５が設けられる。クロマキーカーテンユニット２５には、利用者の背景に写る所定の色のクロマキーカーテンが収納される。クロマキーカーテンユニット２５は、撮影と連動して、適宜、撮影空間内にクロマキーカーテンを下ろす。クロマキーカーテンユニット２５によるクロマキーカーテンの上げ下げは、例えば撮影コースに応じて行われる。
【００３６】
撮影空間の上方には、撮影部２１の正面、連結部２３Ａ、連結部２３Ｂ、およびクロマキーカーテンユニット２５に囲まれる開口が形成され、その開口の一部を覆うように天井ストロボユニット２４が設けられる。天井ストロボユニット２４の一端が連結部２３Ａに固定され、他端が連結部２３Ｂに固定される。天井ストロボユニット２４は、撮影に合わせて撮影空間内に向けて光を照射するストロボを内蔵する。天井ストロボユニット２４の内部には、ストロボの他に蛍光灯が設けられており、撮影空間の照明としても機能する。
【００３７】
編集ユニット１２は、撮影画像の編集処理を行う装置である。編集ユニット１２は、一方の側面が撮影部２１の背面に接するように撮影ユニット１１に連結して設けられる。
【００３８】
図１に一部が見える編集ユニット１２の構成を正面側の構成とすると、２組の利用者が同時に編集を行うことができるように、編集ユニット１２の正面側と背面側には編集に用いられる構成がそれぞれ設けられる。
【００３９】
編集ユニット１２の正面側は、床面に対して垂直な面であり、撮影部２１の側面パネル４１Ａとほぼ平行な面である面７１と、面７１の上方に形成された斜面７２から構成される。斜面７２には、編集作業に用いられる構成が設けられる。斜面７２の右側には、照明装置７４の一端を支持する柱状の支持部７３Ａが設けられる。斜面７２の左側にも、照明装置７４の他端を支持する柱状の支持部７３Ｂ（図２）が設けられる。支持部７３Ａの右側には、編集ユニット１２の側面を構成する板状のパネル７３Ｃが設けられる。パネル７３Ｃの上面にはカーテンレール２６を支持する支持部７５が設けられる。
【００４０】
編集ユニット１２の上方にはカーテンレール２６が取り付けられる。カーテンレール２６は、３本のレール２６Ａ乃至２６Ｃを、上から見たときの形状がコの字状となるように組み合わせることによって構成される。平行に設けられるレール２６Ａと２６Ｂの一端は、連結部２３Ａと連結部２３Ｂにそれぞれ固定され、他端にレール２６Ｃの両端が接合される。
【００４１】
カーテンレール２６には、編集ユニット１２の正面前方の空間と背面前方の空間の内部が外から見えないようにカーテンが取り付けられる。カーテンレール２６に取り付けられたカーテンにより囲まれる編集ユニット１２の正面前方の空間と背面前方の空間が、利用者が撮影画像の編集を行う編集空間となる。
【００４２】
図２は、写真シール作成装置１の他の斜視図である。
【００４３】
後に詳述するが、編集ユニット１２の右側面には、タブレット内蔵モニタや印刷済みのシール紙が排出される排出口などが設けられる。編集ユニット１２の側面に設けられるタブレット内蔵モニタは、画像の印刷が終わるのを待っている利用者が事後接客機能を利用するときに用いられる。事後接客機能には、撮影画像や編集画像をサーバに送信する機能、ミニゲームの機能などが含まれる。編集ユニット１２の右側面前方の空間が、利用者が事後接客機能を利用する事後接客空間となる。
【００４４】
ここで、写真シール作成ゲームの流れと、それに伴う利用者の移動について説明する。図３は、写真シール作成装置１を上から見た平面図である。
【００４５】
写真シール作成装置１の利用者は、白抜き矢印＃１で示すように出入り口Ｇ１から、または白抜き矢印＃２で示すように出入り口Ｇ２から、撮影部２１と背景部２２の間に形成された撮影空間Ａ１に入り、撮影部２１に設けられたカメラやタッチパネルモニタなど利用して撮影を行う。
【００４６】
撮影を終えた利用者は、白抜き矢印＃３で示すように出入り口Ｇ１を使って撮影空間Ａ１から出て編集空間Ａ２−１に移動するか、白抜き矢印＃４で示すように出入り口Ｇ２を使って撮影空間Ａ１から出て編集空間Ａ２−２に移動する。
【００４７】
編集空間Ａ２−１は、編集ユニット１２の正面側の編集空間であり、編集空間Ａ２−２は、編集ユニット１２の背面側の編集空間である。編集空間Ａ２−１と編集空間Ａ２−２のいずれの空間に移動するのかが、撮影部２１のタッチパネルモニタの画面表示などによって案内される。例えば２つの編集空間のうちの空いている方が移動先として案内される。編集空間Ａ２−１または編集空間Ａ２−２に移動した利用者は撮影画像の編集を開始する。編集空間Ａ２−１の利用者と、編集空間Ａ２−２の利用者は同時に編集を行うことができる。
【００４８】
編集が終了した後、撮影画像や編集画像の印刷が開始される。画像の印刷中、編集空間Ａ２−１での編集を終えた利用者は、白抜き矢印＃５で示すように編集空間Ａ２−１から事後接客空間Ａ３に移動して事後接客機能を利用する。また、編集空間Ａ２−２での編集を終えた利用者は、白抜き矢印＃６で示すように編集空間Ａ２−２から事後接客空間Ａ３に移動して事後接客機能を利用する。
【００４９】
画像の印刷が終了したとき、利用者は、シール紙排出口からシール紙を受け取り、一連の写真シール作成ゲームを終えることになる。
【００５０】
次に、各装置の構成について説明する。
【００５１】
［撮影部の構成］
図４は、撮影部２１の正面の構成例を示す図である。撮影部２１は、側面パネル４１Ａ、側面パネル４１Ｂ、および正面パネル４２が、箱状の形状を有するベース部４３に取り付けられることによって構成される。
【００５２】
正面パネル４２の中央には、上底：下底の比を略１：５とし、下底の長さが正面パネル４２の横幅と同じ長さの等脚台形を上下逆さまにした面を有する凸部８１が形成される。凸部８１のほぼ中央にはカメラユニット９１が設けられ、カメラユニット９１の下にタッチパネルモニタ９２が設けられる。カメラユニット９１は、カメラ１０１と正面ストロボ１０２から構成される。
【００５３】
カメラ１０１は、例えば一眼レフカメラであり、レンズが露出するようにカメラユニット９１の内部に取り付けられる。カメラ１０１はCCD(Charge Coupled Device)などの撮像素子を有し、撮影空間Ａ１にいる利用者を撮影する。カメラ１０１により取り込まれた動画像は、ライブビューとして、タッチパネルモニタ９２にリアルタイムで表示される。利用者により撮影が指示されたときなどの所定のタイミングでカメラ１０１により取り込まれた静止画は撮影画像として保存される。
【００５４】
カメラ１０１の上に設けられた正面ストロボ１０２は、乳白アクリル板などよりなる横長長方形の発光面を有する。正面ストロボ１０２は、カメラ１０１による撮影に合わせて発光することで、被写体としての利用者の顔付近を正面から照射する。
【００５５】
カメラユニット９１の下に設けられたタッチパネルモニタ９２は、LCD(Liquid Crystal Display)などのモニタと、それに積層されたタッチパネルにより構成される。タッチパネルモニタ９２は、カメラ１０１により取り込まれた動画像を表示するライブビューモニタとしての機能と、各種のGUI(Graphical User Interface)を表示し、利用者の選択操作を受け付ける機能を備えている。タッチパネルモニタ９２には、カメラ１０１により取り込まれた動画像（ライブビュー）や撮影画像が表示される。
【００５６】
カメラユニット９１の上方には、曲面の発光面を利用者に向けた上ストロボ１１１が設置される。上ストロボ１１１は、カメラ１０１による撮影に合わせて発光することで、上方から利用者を照射する。
【００５７】
ベース部４３の中央には利用者の足元を照射する足元ストロボ１１２が設けられ、足元ストロボ１１２の垂直面の右側には、利用者が硬貨を入れる硬貨投入返却口１１４が設けられる。
【００５８】
ベース部４３の上面には、足元ストロボ１１２の上面を挟んでスペース１１３Ａおよび１１３Ｂが左右に形成される。スペース１１３Ａおよび１１３Ｂは、撮影を行う利用者が手荷物等を置くための荷物置き場として用いられる。正面パネル４２の例えば天井付近には、撮影処理の案内音声、BGM(Back Ground Music)、効果音等の音を出力するスピーカも設けられる。
【００５９】
［背景部の構成］
図５は、背景部２２の撮影空間Ａ１側の構成例を示す図である。
【００６０】
背面パネル５１の上方にはクロマキーカーテンユニット２５が設けられる。背面パネル５１の出入り口Ｇ１側の上方には、撮影空間Ａ１内で撮影を行っている利用者を右後方から照射する背面右ストロボ１２１が取り付けられる。また、背面パネル５１の出入り口Ｇ２側の上方には、撮影空間Ａ１内で撮影を行っている利用者を左後方から照射する背面左ストロボ１２２が取り付けられる。
【００６１】
［編集部の構成］
図６は、編集ユニット１２の正面側（編集空間Ａ２−１側）の構成例を示す図である。
【００６２】
斜面７２のほぼ中央には、タブレット内蔵モニタ１３１が設けられる。タブレット内蔵モニタ１３１を挟んで左側にタッチペン１３２Ａが設けられ、右側にタッチペン１３２Ｂが設けられる。
【００６３】
タブレット内蔵モニタ１３１は、タッチペン１３２Ａまたは１３２Ｂを用いて操作入力が可能なタブレットがLCDなどのモニタに重畳して設けられることによって構成される。タブレット内蔵モニタ１３１には例えば編集画面が表示される。編集画面は撮影画像の編集に用いられる画面である。２人で同時に編集作業を行う場合、タッチペン１３２Ａはタブレット内蔵モニタ１３１に向かって左側にいる利用者により用いられ、タッチペン１３２Ｂはタブレット内蔵モニタ１３１に向かって右側にいる利用者により用いられる。
【００６４】
図７、図８は、編集ユニット１２の右側面の構成例を示す図である。
【００６５】
編集ユニット１２の側面にはタブレット内蔵モニタ１６１が設けられる。タブレット内蔵モニタ１６１には、事後接客機能を利用するときに用いられる画面が表示される。
【００６６】
タブレット内蔵モニタ１６１の下にはシール紙排出口１６２が設けられる。編集ユニット１２の内部にはプリンタが設けられており、編集空間Ａ２−１の利用者が写る画像、または、編集空間Ａ２−２の利用者が写る画像が所定のレイアウトでシール紙に印刷され、シール紙排出口１６２から排出される。シール紙排出口１６２の下には、事後接客機能の案内音声、BGM、効果音等などを出力するスピーカ１６３が設けられる。
【００６７】
［シール紙の例］
図９は、以上のような外観構成を有する写真シール作成装置１により提供されるシール紙の例を示す図である。
【００６８】
後に詳述するように、写真シール作成装置１が提供する撮影コースには、例えばbeautyコースとedgyコースとの２種類のコースがある。撮影の開始前、利用者は、いずれの撮影コースを利用するのかを選択する。
【００６９】
図９Ａは、beautyコースを選択した場合に提供されるシール紙の例を示す図である。
【００７０】
図９Ａに示すように、シール紙には、横方向の長さに対して縦方向の長さが若干長い角丸長方形の画像が上段の右側に寄せて２枚、下段に３枚並べて印刷される。それぞれの画像には、利用者である２人の人物がポーズを変えて写っている。beautyコースを選択した場合、利用者の略胸より上の上半身を撮影範囲とした撮影が５回行われ、撮影画像、または撮影画像に編集を施して得られた編集画像が印刷される。
【００７１】
下段中央の画像に付されている「ラッキー」の文字は編集によって入力された手書き文字であり、右下の画像に付されているハート型の画像は編集によって入力されたスタンプ画像である。このように、５枚の撮影画像のうち、編集が行われたものについては編集画像が印刷され、編集が行われなかったものについては撮影画像がそのまま印刷される。下段中央の画像と右下の画像は編集画像であり、その他の画像は撮影画像である。
【００７２】
シール紙の左上には、写真シール作成装置１の機種名である「SPiCA」の文字や撮影日時などの文字情報が、利用者が写る撮影画像に重ねて印刷されている。文字情報が重ねて印刷される左上の撮影画像は、右下に印刷されている編集画像の元になった撮影画像に対して、グレースケール表示にするなどの加工を施して得られた画像である。
【００７３】
図９Ａにおいて、左上の画像に色を付して示していることは、左上の画像がグレースケールで薄く印刷されていることを表す。利用者は、自身の画像が背景として薄く現れる文字情報を見ることになる。なお、左上の画像以外の５枚の画像はカラー印刷された画像である。
【００７４】
以下、適宜、撮影画像に加工を施して得られる、シール紙の左上などに印刷される画像を加工画像という。加工画像は余白領域に印刷される画像であり、撮影画像又は編集画像のすべての画素に対して、撮影画像又は編集画像とは画像の見え方が異なるような加工を施して得られる画像である。
【００７５】
図９Ｂは、edgyコースを選択した場合に提供されるシール紙の例を示す図である。
【００７６】
図９Ｂに示すように、edgyコースを選択した場合、利用者の上半身を撮影範囲とした撮影が３回行われ、全身を撮影範囲とした撮影が２回行われる。全身を撮影範囲とした撮影によって得られた撮影画像、またはその撮影画像に編集を施して得られた編集画像は右端に縦に並べて印刷される。右下の画像に付されている「LOVE」の文字は編集によって入力された手書き文字である。
【００７７】
左上の余白領域には、機種名などの文字情報が、下段中央に印刷される撮影画像に加工を施して得られた加工画像に重ねて印刷される。
【００７８】
このように、写真シール作成装置１においては、シール紙に５枚の撮影画像または編集画像が印刷され、その余白に、１枚の撮影画像に加工を施して得られた画像が文字情報の背景として印刷される。
【００７９】
余白領域に文字情報だけを印刷するのではなく、文字情報の背景として利用者自身が写る画像がカラーの撮影画像や編集画像とほぼ同じ大きさで印刷されることから、文字情報の視認性を確保したまま、全体的に無駄なスペースのない印象のあるシール紙を提供することが可能になる。
【００８０】
また、撮影画像や、編集画像の元になった撮影画像を用いて加工画像が生成されることから、加工画像の生成に用いる画像、すなわち余白に印刷するためだけの画像を撮影する必要がない。これにより、余白に印刷するためだけの画像を、カラー印刷する画像とは別に撮影する場合に較べて、撮影にかかる時間を抑えることができ、写真シール作成装置１の利用者の回転数を落とさずに済む。
【００８１】
さらに、利用者自身が写る画像が余白に印刷されることから、モデルの画像などを印刷する場合と較べて、カラー印刷される画像と並べても違和感のない、デザイン性の高いシール紙を提供することができ、利用者の満足感を高めることが可能となる。
【００８２】
シール紙の余白は、機種名、撮影日時などが印刷される領域であり、従来、それらの情報が確認された後に切断して廃棄される領域であったが、利用者自身が写る画像を印刷することによって、切断して廃棄されるのを防ぐことが可能になる。利用者にとっては、文字情報を記載した余白領域も含めて、価値のある１枚のシール紙となる。
【００８３】
このような画像をシール紙に印刷する写真シール作成装置１の処理については後述する。なお、シール紙排出口１６２から排出されるシール紙には、図９Ａまたは図９Ｂに示すレイアウトの画像全体を１枚分として、２枚分の画像が印刷される。２人の利用者は、排出されたシール紙を上下に半分に切るなどしてそれぞれ分けることになる。
【００８４】
［写真シール作成装置の内部構成］
図１０は、写真シール作成装置１の内部の構成例を示すブロック図である。上述した構成と同じ構成には同じ符号を付してある。重複する説明については適宜省略する。
【００８５】
制御部２０１はCPU(Central Processing Unit)などよりなり、ROM(Read Only Memory)２０６や記憶部２０２に記憶されているプログラムを実行し、写真シール作成装置１の全体の動作を制御する。制御部２０１には、記憶部２０２、通信部２０３、ドライブ２０４、ROM２０６、RAM(Random Access Memory)２０７が接続される。制御部２０１には、撮影部２０８、編集部２０９Ａ、編集部２０９Ｂ、および事後接客部２１０の各構成も接続される。
【００８６】
記憶部２０２は、ハードディスクやフラッシュメモリなどの不揮発性の記憶媒体からなり、制御部２０１から供給された各種の設定情報等を記憶する。記憶部２０２に記憶されている情報は制御部２０１により適宜読み出される。
【００８７】
通信部２０３は、インターネットなどのネットワークのインタフェースであり、制御部２０１による制御に従って外部の装置と通信を行う。通信部２０３は、例えば撮影画像や編集画像をサーバに送信する。通信部２０３から送信された画像は、サーバにおいて所定のURLの記憶領域が割り当てられて保存され、アクセスしてきた携帯端末のディスプレイに表示される。
【００８８】
ドライブ２０４には、光ディスクや半導体メモリなどよりなるリムーバブルメディア２０５が適宜装着される。ドライブ２０４によりリムーバブルメディア２０５から読み出されたコンピュータプログラムやデータは、制御部２０１に供給され、記憶部２０２に記憶されたり、インストールされたりする。
【００８９】
ROM２０６には、制御部２０１において実行されるプログラムやデータが記憶されている。RAM２０７は、制御部２０１が処理するデータやプログラムを一時的に記憶する。
【００９０】
撮影部２０８は、撮影空間Ａ１にいる利用者を対象とした撮影処理を行う。撮影部２０８は、硬貨処理部２２１、背景制御部２２２、照明装置２２３、カメラ１０１、タッチパネルモニタ９２、およびスピーカ２２４から構成される。
【００９１】
硬貨処理部２２１は、硬貨投入返却口１１４に対する硬貨の投入を検出する。硬貨処理部２２１は、例えば４００円などの所定の金額分の硬貨が投入されたことを検出した場合、そのことを表す起動信号を制御部２０１に出力する。
【００９２】
背景制御部２２２は、制御部２０１から供給される背景制御信号に従ってクロマキーカーテンユニット２５を制御し、クロマキーカーテンの上げ下げを行う。
【００９３】
照明装置２２３は、制御部２０１から供給される照明制御信号に従って、撮影空間Ａ１内の各ストロボの発光を制御する。撮影空間Ａ１には、天井ストロボユニット２４のストロボの他に、撮影部２１の正面ストロボ１０２、上ストロボ１１１、足元ストロボ１１２、背景部２２の背面右ストロボ１２１、背面左ストロボ１２２が設けられる。
【００９４】
カメラ１０１は、制御部２０１による制御に従って撮影を行い、撮影によって得られた画像を制御部２０１に出力する。
【００９５】
編集部２０９Ａは、編集空間Ａ２−１にいる利用者を対象とした編集処理を行う。編集部２０９Ａは、タブレット内蔵モニタ１３１、タッチペン１３２Ａ，１３２Ｂ、およびスピーカ２３１から構成される。編集部２０９Ｂは、編集部２０９Ａと同一の構成を有しており、編集空間Ａ２−２にいる利用者を対象とした編集処理を行う。
【００９６】
タブレット内蔵モニタ１３１は、制御部２０１による制御に従って編集画面を表示し、編集画面に対する利用者の操作を検出する。利用者の操作の内容を表す信号は制御部２０１に供給され、編集対象の撮影画像の編集が行われる。
【００９７】
事後接客部２１０は、事後接客空間Ａ３にいる利用者を対象とした事後接客処理を行う。事後接客処理は、事後接客機能を利用者に提供する処理である。事後接客部２１０は、タブレット内蔵モニタ１６１、スピーカ１６３、およびプリンタ２４１から構成される。プリンタ２４１にはシール紙ユニット２４２が装着される。
【００９８】
プリンタ２４１は、制御部２０１から供給された印刷データに基づいて、撮影画像や編集画像をシール紙ユニット２４２に収納されているシール紙に印刷し、シール紙排出口１６２に排出する。制御部２０１からプリンタ２４１に対しては、図９Ａ、図９Ｂに示すように各画像が配置されたイメージデータが印刷データとして供給される。
【００９９】
［制御部の構成］
図１１は、制御部２０１の機能構成例を示すブロック図である。図１１に示す機能部のうちの少なくとも一部は、制御部２０１内のCPUにより所定のプログラムが実行されることによって実現される。
【０１００】
制御部２０１においては、撮影処理部３０１、編集処理部３０２、印刷処理部３０３、および事後接客処理部３０４が実現される。
【０１０１】
撮影処理部３０１は、撮影部２０８の各部を制御し、写真シール作成装置１を利用する際に投入される代金に関する処理や撮影処理を行う。編集処理部３０２は、編集部２０９Ａ、編集部２０９Ｂの各部を制御し、編集処理を行う。印刷処理部３０３は、事後接客部２１０のプリンタ２４１を制御し、印刷処理を行う。事後接客処理部３０４は、事後接客部２１０のタブレット内蔵モニタ１６１を制御するなどして事後接客処理を行う。
【０１０２】
図１２は、撮影処理部３０１の構成例を示すブロック図である。
【０１０３】
撮影処理部３０１は、撮影制御部３１１、トリミング処理部３１２、表示制御部３１３、調整部３１４、および撮影画像記憶部３１５から構成される。
【０１０４】
撮影制御部３１１は、撮影処理の開始時、カメラ１０１を制御して動画を撮影する。撮影制御部３１１により撮影された動画はライブビューの表示に用いられる。また、撮影制御部３１１は、ライブビューが表示された後、所定のタイミングで静止画を撮影する。例えば１回のゲームでは静止画の撮影が５回行われる。撮影制御部３１１により撮影された画像はトリミング処理部３１２に供給される。
【０１０５】
トリミング処理部３１２は、撮影制御部３１１から供給された動画を構成する各フレームを対象としてトリミングを行い、トリミングにより切り出した範囲の画像からなる動画を表示制御部３１３に供給する。また、トリミング処理部３１２は、撮影制御部３１１から供給された静止画を対象としてトリミングを行い、トリミングにより切り出した範囲の静止画を表示制御部３１３と調整部３１４に供給する。
【０１０６】
表示制御部３１３は、タッチパネルモニタ９２の表示を制御する。例えば、表示制御部３１３は、撮影の仕方を説明するガイダンス画面を表示させたり、トリミング処理部３１２から供給された動画に基づいてライブビューを表示させたりする。
【０１０７】
調整部３１４は、トリミング処理部３１２から供給された静止画を対象として画像処理を施し、写りの調整を行う。調整部３１４が調整する写りには、静止画に写る利用者の目の大きさ、顔の大きさ、画像の明るさなどが含まれる。調整部３１４は、写りの調整後の静止画を撮影画像として撮影画像記憶部３１５に出力し、記憶させる。撮影画像記憶部３１５に記憶された５枚の撮影画像は編集処理時に読み出される。
【０１０８】
図１３は、編集処理部３０２の構成例を示すブロック図である。
【０１０９】
編集処理部３０２は、編集対象画像生成部３３１、編集対象画像記憶部３３２、編集部３３３、編集画像記憶部３３４、表示制御部３３５、加工部３３６、合成用画像記憶部３３７、配置処理部３３８、および見本画像記憶部３３９から構成される。
【０１１０】
編集対象画像生成部３３１は、編集処理の開始時、撮影画像記憶部３１５に記憶されている撮影画像を読み出し、編集対象となる撮影画像を生成する。
【０１１１】
例えば、編集対象画像生成部３３１は、四隅を角丸にする処理である角丸処理を撮影画像に施し、編集対象となる撮影画像を生成する。角丸ではない長方形の撮影画像がそのまま編集対象として用いられるようにしてもよいし、編集対象として角丸の撮影画像を用いるか角丸ではない撮影画像を用いるかを利用者が選択できるようにしてもよい。
【０１１２】
また、編集対象画像生成部３３１は、適宜、撮影画像に写る利用者の背景に背景画像を合成することによって、編集対象となる撮影画像を生成する。編集対象画像生成部３３１は、生成した編集対象の撮影画像を編集対象画像記憶部３３２に出力し、記憶させる。
【０１１３】
編集部３３３は、撮影画像を編集対象画像記憶部３３２から読み出し、タブレット内蔵モニタ１３１から供給される信号に基づいて編集する。撮影画像の編集は、撮影画像に写る利用者に合成用の画像を合成するなどして行われる。タブレット内蔵モニタ１３１から編集部３３３に対しては、利用者による編集入力を表す信号が供給される。編集部３３３は、撮影画像を編集して得られた編集画像を編集画像記憶部３３４に出力し、記憶させる。
【０１１４】
編集の方法には、主に、複数の編集ツールの中から好みの編集ツールを選択し、入力位置を利用者自身がタッチペン１３２Ａ，１３２Ｂを利用して指定することによって編集対象の撮影画像に合成用の画像を一つずつ入力していく方法と、予め決められた内容の合成用画像を一括して入力する方法との２つの方法がある。後者の方法によって編集を行う機能を一発落書き機能という。なお、編集ツールは、スタンプ画像やペン画像等、利用者がタッチペン１３２Ａ，１３２Ｂを用いて入力を行うツールである。
【０１１５】
編集部３３３は、一発落書き機能を用いて編集することが指示された場合、利用者により選択された見本画像で使われている編集と同じ内容の編集を行うための合成用画像を合成用画像記憶部３３７から読み出し、編集対象の撮影画像に合成する。一発落書き機能による編集は、複数の見本画像の中から、好みの見本画像を選択する形で行われる。
【０１１６】
見本画像は、モデルの人物を撮影した撮影画像に対して、１種類、または複数種類の編集ツールを用いて合成用画像を入力した編集済みの画像である。合成用画像記憶部３３７には、見本画像で使われている編集と同じ内容の編集を行うための合成用画像のデータが記憶されている。
【０１１７】
表示制御部３３５は、タブレット内蔵モニタ１３１の表示を制御する。例えば、表示制御部３３５は、編集対象画像記憶部３３２に記憶されている編集対象の撮影画像を読み出し、編集画面を表示させる。
【０１１８】
また、表示制御部３３５は、配置処理部３３８により生成されたシール紙イメージに基づいて、分割数、すなわちシール紙のレイアウトの選択画面を表示させる。配置処理部３３８においては、撮影画像などを予め定められたレイアウトに従ってシール紙上に配置したときのイメージを表すシール紙イメージが、編集対象画像記憶部３３２に記憶されている撮影画像、編集画像記憶部３３４に記憶されている編集画像、および加工部３３６により生成された加工画像を用いて複数種類生成される。
【０１１９】
表示制御部３３５は、一発落書き機能を使うことが利用者により指示された場合、見本画像のデータを見本画像記憶部３３９から読み出し、複数の見本画像を編集画面に一覧表示させる。
【０１２０】
加工部３３６は、編集対象画像記憶部３３２に記憶されている撮影画像のうちの所定の撮影画像を読み出し、加工を施すことによって加工画像を生成する。
【０１２１】
ここで、加工は、画像の全画素を対象とした画像処理であり、単一色の濃淡と明暗で被写体を表すように画素値を変更する処理が含まれる。
【０１２２】
例えば、edgyコースによって撮影された画像を加工の対象とする場合、黒の濃淡と明暗で被写体を表す画像になるように画素値が変更される。
【０１２３】
また、beautyコースによって撮影された画像を加工の対象とする場合、背景の色に合わせた色の濃淡と明暗で被写体を表す画像になるように画素値が変更される。背景の色がピンクである場合、ピンクの濃淡と明暗で被写体を表すように画素値が変更される。後述するように、撮影コースがbeautyコースである場合、撮影画像に写る利用者の背景に合成する色を選択することができるようになされている。
【０１２４】
このように、加工部３３６による加工として、被写体の構図自体は変わらないが、画像配置領域に配置される撮影画像や編集画像とは見え方の異なる画像になるような処理が施される。カラーの画像を加工画像として用いずに単一色の画像を用いることにより、加工画像に重畳する文字情報の視認性を高めることが可能になる。
【０１２５】
なお、単一色の濃淡と明暗で被写体を表すように画素値を変更するとともに、コントラスト、明るさ等を画像処理により補正して、より適切な色調にするようにしてもよい。また、フィルターをかけて、ドット調、セピア調、絵画調の画像になるような処理を施してもよいし、唇部分などの人物の特徴部分のみをカラーとし、残りの部分をグレースケールにするなどの処理を施してもよい。重畳する文字情報の色に合わせて、撮影画像の色味を決定してもよい。
【０１２６】
また、加工部３３６は、加工を施して生成した単一色の画像に文字情報や他の画像を重畳する。
【０１２７】
文字情報には、写真シール作成装置１の機種名、販売会社名、撮影日時、撮影コース、キャッチフレーズ、撮影画像を取得するためのアクセス先となるサーバのURL、撮影画像をサーバから取得するときに用いられるIDなどの情報が含まれる。なお、文字情報は、撮影画像または編集画像よりも見やすく加工された画像とすることができる。
【０１２８】
比較的広い領域に文字情報を印刷するようにしたため、各種の情報の大きさ、位置等について高い自由度を確保することが可能になる。また、それぞれの情報を大きな文字を用いて印刷することができるため、シール紙の縁の余白部分などに文字情報を印刷する場合に較べて、文字情報を見やすくすることが可能になる。
【０１２９】
文字情報の色については、利用者が自ら選択することができるようにしてもよいし、背景となる加工画像の色に応じて自動的に選択されるようにしてもよい。加工画像の色と同化しない色を選択することにより、文字情報を見やすくすることが可能になる。
【０１３０】
文字情報の入力領域が大きいことから、撮影画像の編集時に、「今日、○○とカラオケにいってきたよ！」などの文字情報を利用者が入力することができるようにしてもよいし、予め用意されたカテゴリ毎の文字情報の中から好みの文字情報を選択して入力することができるようにしてもよい。
【０１３１】
加工部３３６は、このような文字情報を重畳した加工画像を配置処理部３３８に出力する。
【０１３２】
配置処理部３３８は、編集対象画像記憶部３３２に記憶されている撮影画像または編集画像記憶部３３４に記憶されている編集画像を所定の領域に配置し、加工部３３６により生成された加工画像を余白領域に配置することによって複数のシール紙イメージを生成する。配置処理部３３８は、生成したシール紙イメージを表示制御部３３５に出力する。
【０１３３】
［写真シール作成装置の動作］
次に、写真シール作成装置１の動作について説明する。
【０１３４】
はじめに、図１４のフローチャートを参照して、写真シール作成ゲームを提供する写真シール作成装置１の処理について説明する。
【０１３５】
ステップＳ１において、写真シール作成装置１の撮影処理部３０１は、所定の金額分の硬貨が投入されたか否かを硬貨処理部２２１から供給される信号に基づいて判定し、投入されたと判定するまで待機する。
【０１３６】
硬貨が投入されたとステップＳ１において判定した場合、ステップＳ２において、撮影処理部３０１は撮影処理を行う。撮影処理においては、撮影空間Ａ１にいる利用者を被写体として撮影が行われる。撮影処理の詳細については、図１５のフローチャートを参照して後述する。
【０１３７】
ステップＳ３において、撮影処理部３０１は、撮影空間Ａ１にいる利用者に対して、編集空間Ａ２−１または編集空間Ａ２−２への移動を案内する。編集空間Ａ２−１または編集空間Ａ２−２への移動の案内は、タッチパネルモニタ９２に画面を表示させることによって、または音声をスピーカ２２４から出力させることによって行われる。
【０１３８】
ステップＳ４において、編集処理部３０２は、編集空間Ａ２−１と編集空間Ａ２−２のうち、撮影を終えた利用者の移動先とした方の編集空間に対応する編集部２０９Ａまたは編集部２０９Ｂを制御して編集処理を行う。編集処理の詳細については、図１９のフローチャートを参照して後述する。
【０１３９】
ステップＳ５において、編集処理部３０２は、編集処理を終えた利用者に対して事後接客空間Ａ３への移動を案内する。事後接客空間Ａ３への移動の案内は、タブレット内蔵モニタ１３１に画面を表示させることによって、または音声をスピーカ２３１から出力させることによって行われる。
【０１４０】
ステップＳ６において、印刷処理部３０３は、利用者により選択されたレイアウトに従って、撮影画像や編集画像をシール紙に印刷する。
【０１４１】
ステップＳ７において、事後接客処理部３０４は、印刷が終わるのを待っている利用者に対する事後接客処理を行う。事後接客処理部３０４は、撮影画像や編集画像を携帯端末に送信する処理などを事後接客処理として行う。
【０１４２】
印刷が終了した場合、ステップＳ８において、事後接客処理部３０４は、画像が印刷されたシール紙をシール紙排出口１６２に排出させ、処理を終了する。
【０１４３】
［撮影処理の例］
次に、図１５のフローチャートを参照して、図１４のステップＳ２において行われる撮影処理について説明する。
【０１４４】
ステップＳ２１において、撮影処理部３０１の表示制御部３１３は、コース選択画面をタッチパネルモニタ９２に表示させる。コース選択画面には、例えば、撮影コースとしてbeautyコースを選択する場合に操作されるボタンと、edgyコースを選択する場合に操作されるボタンが表示される。利用者は、タッチパネルモニタ９２の表面に指で触れるなどしていずれの撮影コースで撮影を行うのかを選択する。
【０１４５】
beautyコースを選択した場合の撮影とedgyコースを選択した場合の撮影とでは、クロマキーカーテンの有無、撮影モードの種類、撮影時に照射するフラッシュ光の強度、フラッシュ光の性質などが異なる。撮影モードには、通常撮影、斜め撮影、全身撮影がある。撮影モードに応じて、異なる範囲が撮影範囲として設定される。
【０１４６】
例えば、beautyコースにおいては、クロマキーカーテンをおろした状態で、１枚目と２枚目の撮影が通常撮影によって行われ、３枚目、４枚目、５枚目の撮影が斜め撮影によって行われる。クロマキーカーテンの色が利用者の背景色となることにより、beautyコースで撮影された撮影画像に対しては、クロマキー処理によって、利用者の写っている範囲の背景に他の色の画像を合成することが可能になる。
【０１４７】
一方、edgyコースにおいては、クロマキーカーテンのない状態で、１枚目の撮影が通常撮影によって行われ、２枚目、３枚目の撮影が斜め撮影によって行われる。また、４枚目、５枚目の撮影が全身撮影によって行われる。
【０１４８】
図１６は、通常撮影の例を示す図である。
【０１４９】
図１６Ａに示す画像３６１はカメラ１０１により撮影された静止画である。縦長の画像である画像３６１には、２人の利用者の頭の上から腰付近までの範囲が写っている。画像３６１の内側に示す長方形の枠Ｆ１で囲む範囲が、通常撮影時にトリミング処理部３１２により切り出される範囲である。枠Ｆ１で示す切り出し範囲は、長手方向が画像３６１の長手方向と平行となり、短手方向が画像３６１の短手方向と平行になるように設定される。
【０１５０】
図１６Ｂに示す画像３６２は、トリミングによって画像３６１から切り出された画像である。このように、通常撮影においては、まっすぐ立っている利用者がそのまままっすぐ写る画像が撮影される。通常撮影によって得られる撮影画像は、利用者の顔がアップで写る画像であるアップ画像となる。
【０１５１】
図１７は、斜め撮影の例を示す図である。
【０１５２】
図１７Ａに示す画像３７１はカメラ１０１により撮影された静止画である。画像３７１には、図１６Ａの画像３６１と同様に、２人の利用者の頭の上から腰付近までの範囲が写っている。画像３７１の内側に示す長方形の枠Ｆ２で囲む範囲が、斜め撮影時にトリミング処理部３１２により切り出される範囲である。図１７Ａに示すように、斜め撮影時の切り出しは、まっすぐな状態の画像３７１を、その中心位置を中心として反時計周りの方向に所定の角度だけ傾け、枠Ｆ２で囲む範囲を切り出すようにして行われる。
【０１５３】
図１７Ｂに示す画像３７２は、トリミングによって画像３７１から切り出された画像である。このように、斜め撮影においては、まっすぐ立っている利用者が左に傾いて写る画像が撮影される。斜め撮影によって得られる撮影画像も、斜めに傾いてはいるが、利用者の顔がアップで写る画像であるアップ画像となる。
【０１５４】
図１８は、全身撮影の例を示す図である。
【０１５５】
図１８に示す画像３８１はカメラ１０１により撮影された静止画である。縦長の画像である画像３８１には、２人の利用者の頭の上から足元付近までの範囲が写っている。画像３８１には、撮影空間Ａ１の床面や、背面パネル５１も利用者の背景として写っている。全身撮影時、カメラ１０１を若干斜め下に向けて撮影が行われる。
【０１５６】
このように、全身撮影においては、まっすぐ立っている利用者の全身が写る画像である全身画像が撮影される。利用者の背景に撮影空間Ａ１の床面などがそのまま写ることから、edgyコースにおいては、背景画像を合成するbeautyコースの場合と較べて立体感のある画像を撮影することが可能になる。
【０１５７】
なお、ライブビューに用いられる動画像を構成する各フレームに対してもトリミングが適宜施される。例えば、通常撮影時、図１６を参照して説明したトリミングと同じトリミングが施される。また、斜め撮影時、図１７を参照して説明したトリミングと同じトリミングが動画像を構成する各フレームに対して施され、利用者が斜めに傾いて写る動画がライブビューの表示に用いられる。
【０１５８】
図１５の説明に戻り、撮影コースが選択された場合、撮影制御部３１１により動画の撮影が開始され、動画を構成する各フレームに対してトリミング処理部３１２によりトリミングが施される。トリミングにより切り出された画像からなる動画は表示制御部３１３に供給され、タッチパネルモニタ９２のライブビューの表示に用いられる。利用者は、自分達の写りをタッチパネルモニタ９２の表示を見て確認することになる。また、撮影コースとしてbeautyコースが選択された場合、背景制御部２２２によりクロマキーカーテンが下ろされる。
【０１５９】
beautyコースが選択され、ライブビューの表示が開始されてから所定の時間が経過した場合、ステップＳ２２において、撮影制御部３１１は１枚目の静止画の撮影を通常撮影によって行う。すなわち、撮影制御部３１１により撮影された静止画を対象として、図１６を参照して説明したようにしてトリミング処理部３１２によりトリミングが行われ、利用者の上半身がまっすぐ写っている静止画が得られる。トリミングにより切り出された静止画は調整部３１４に供給される。２枚目以降の静止画についても同様に、撮影が行われる毎に調整部３１４に供給される。
【０１６０】
ステップＳ２３において、撮影制御部３１１は、１枚目の撮影から所定の時間が経過したとき、２枚目の静止画の撮影を通常撮影によって行う。
【０１６１】
ステップＳ２４において、表示制御部３１３は、斜め撮影について紹介する画面をタッチパネルモニタ９２に表示するなどして斜め撮影のガイダンスを行う。上述したように、beautyコースにおいては、３枚目、４枚目、５枚目の撮影が斜め撮影によって行われる。
【０１６２】
ステップＳ２５において、撮影制御部３１１は３枚目の静止画の撮影を斜め撮影によって行う。撮影制御部３１１により撮影された静止画を対象として、図１７を参照して説明したようにしてトリミング処理部３１２によりトリミングが行われ、利用者の上半身が斜めに傾いて写る静止画が得られる。
【０１６３】
ステップＳ２６において、撮影制御部３１１は、３枚目の撮影から所定の時間が経過したとき、４枚目の静止画の撮影を斜め撮影によって行う。
【０１６４】
ステップＳ２７において、撮影制御部３１１は、４枚目の撮影から所定の時間が経過したとき、５枚目の静止画の撮影を斜め撮影によって行う。
【０１６５】
このように、beautyコースにおいては、通常撮影によって撮影された２枚の静止画と、斜め撮影によって撮影された３枚の静止画の５枚の静止画が調整部３１４に供給される。５枚の静止画ともアップ画像である。
【０１６６】
一方、edgyコースが選択され、ライブビューの表示が開始されてから所定の時間が経過した場合、ステップＳ２８において、撮影制御部３１１は１枚目の静止画の撮影を通常撮影によって行う。
【０１６７】
ステップＳ２９において、表示制御部３１３は、斜め撮影について紹介する画面をタッチパネルモニタ９２に表示するなどして斜め撮影のガイダンスを行う。edgyコースにおいては、２枚目、３枚目の撮影が斜め撮影によって行われる。
【０１６８】
ステップＳ３０において、撮影制御部３１１は、２枚目の静止画の撮影を斜め撮影によって行う。
【０１６９】
ステップＳ３１において、撮影制御部３１１は、２枚目の撮影から所定の時間が経過したとき、３枚目の静止画の撮影を斜め撮影によって行う。
【０１７０】
ステップＳ３２において、表示制御部３１３は、全身撮影について紹介する画面をタッチパネルモニタ９２に表示するなどして全身撮影のガイダンスを行う。edgyコースにおいては、４枚目、５枚目の撮影が全身撮影によって行われる。
【０１７１】
ステップＳ３３において、撮影制御部３１１は４枚目の静止画の撮影を全身撮影によって行う。すなわち、図１８を参照して説明したような利用者の全身が写る静止画が得られる。
【０１７２】
ステップＳ３４において、撮影制御部３１１は、４枚目の撮影から所定の時間が経過したとき、５枚目の静止画の撮影を全身撮影によって行う。
【０１７３】
このように、edgyコースにおいては、通常撮影によって撮影された１枚の静止画、斜め撮影によって撮影された２枚の静止画、および全身撮影によって撮影された２枚の静止画の５枚の静止画が調整部３１４に供給される。
【０１７４】
ステップＳ３５において、表示制御部３１３は、写り調整画面をタッチパネルモニタ９２に表示させる。写り調整画面は、静止画に写る利用者の目の大きさの調整と、静止画の明るさの調整に用いられる画面である。写り調整画面には、例えば複数の大きさの目を表す画像や、明るさの調整に用いられるボタンが表示される。利用者は、目を表す画像にタッチすることによって画像に写る自身の目の大きさを選択したり、ボタンを操作することによって画像の明るさを選択したりすることができる。静止画の色や利用者の顔の大きさなどの他の写りの調整を写り調整画面において行うことができるようにしてもよい。
【０１７５】
ステップＳ３６において、調整部３１４は、利用者による操作に応じて静止画の画像処理を行い、利用者の目の大きさと静止画の明るさを調整する。すなわち、調整部３１４は、それぞれの静止画から利用者の目を検出し、検出した目の大きさを、利用者によって選択された大きさになるように調整する。また、調整部３１４は、それぞれの静止画の明るさを、利用者によって選択された明るさになるように調整する。調整部３１４は、写りの調整後の静止画を撮影画像として撮影画像記憶部３１５に出力する。
【０１７６】
ステップＳ３７において、撮影画像記憶部３１５は、調整部３１４から供給された５枚の撮影画像を記憶する。その後、図１４のステップＳ２に戻り、それ以降の処理が行われる。
【０１７７】
［編集処理の例］
次に、図１９のフローチャートを参照して、図１４のステップＳ４において行われる編集処理について説明する。
【０１７８】
ステップＳ５１において、編集処理部３０２の表示制御部３３５は、名前入力画面をタブレット内蔵モニタ１３１に表示させる。名前入力画面には、利用者の人数を選択するときに操作されるボタンが表示される。例えば利用者の人数が２人であることが選択された場合、２人の名前を入力することが可能とされる。
【０１７９】
ステップＳ５２において、編集処理部３０２の表示制御部３３５は、プロフィール入力画面をタブレット内蔵モニタ１３１に表示させる。プロフィール入力画面には各種の質問が表示される。利用者は、質問とともに表示されるボタンを選択するなどして、質問に答える形でプロフィールを入力する。
【０１８０】
ステップＳ５３において、表示制御部３３５は、beautyコースによって撮影が行われたか否かを判定する。
【０１８１】
beautyコースによって撮影が行われたとステップＳ５３において判定した場合、ステップＳ５４において、表示制御部３３５は、背景画像の選択画面をタブレット内蔵モニタ１３１に表示させる。背景画像の選択画面には、背景の色の選択を促すメッセージとともに、各種の色や柄の画像が背景画像として複数表示される。
【０１８２】
背景画像は、撮影画像に写る利用者の背景として用いられる画像である。beautyコースによる撮影処理が行われた後の編集処理においては、クロマキー処理によって利用者の背景に背景画像が合成された撮影画像が編集対象の画像として用いられる。
【０１８３】
ステップＳ５５において、編集対象画像生成部３３１は、撮影画像記憶部３１５から５枚の撮影画像を読み出し、それぞれの撮影画像に対して背景画像を合成する。すなわち、編集対象画像生成部３３１は、利用者の背景領域を抽出し、抽出した領域に背景画像を合成する処理を、各撮影画像を対象として行う。
【０１８４】
edgyコースによって撮影が行われたとステップＳ５３において判定された場合、ステップステップＳ５４，Ｓ５５の処理はスキップされる。
【０１８５】
ステップＳ５６において、編集対象画像生成部３３１は、撮影画像に角丸処理を施し、編集対象の撮影画像を生成する。beautyコースによって撮影が行われている場合には、背景画像が合成された撮影画像に対して角丸処理が施され、edgyコースによって撮影が行われている場合には、撮影画像記憶部３１５から読み出された撮影画像に対して角丸処理が施される。編集対象画像生成部３３１により生成された編集対象の撮影画像は編集対象画像記憶部３３２に記憶される。
【０１８６】
ステップＳ５７において、表示制御部３３５は、編集画面をタブレット内蔵モニタ１３１に表示させる。編集画面には、編集対象画像記憶部３３２から読み出された撮影画像が表示される。
【０１８７】
図２０は、編集画面の例を示す図である。
【０１８８】
編集画面は、主な構成が左右対称に設けられることによって構成される。左半分の領域である領域４０２Ｌは、タブレット内蔵モニタ１３１に向かって左側にいる利用者により用いられる領域であり、右半分の領域である領域４０２Ｒは、タブレット内蔵モニタ１３１に向かって右側にいる利用者により用いられる領域である。中央上方の領域４０１には編集処理の残り時間が表示される。なお、図２０の各領域を囲む破線は画面に実際に表示されるものではない。
【０１８９】
領域４０２Ｌの中央上方のサムネイル画像表示領域４１１Ｌは、撮影画像を表すサムネイル画像の表示領域である。利用者（タブレット内蔵モニタ１３１に向かって左側にいる利用者）は、サムネイル画像表示領域４１１Ｌに表示されているサムネイル画像を選択することによって、編集対象とする撮影画像を選択することができる。
【０１９０】
図２０の例においては、５枚の撮影画像を表すサムネイル画像Ｐ１乃至Ｐ５が撮影順に並べて表示され、左端のサムネイル画像Ｐ１が選択されることによって、１枚目の撮影画像が編集対象とされている。
【０１９１】
サムネイル画像表示領域４１１Ｌに表示されているサムネイル画像Ｐ１乃至Ｐ５はアップ画像を表すサムネイル画像である。図２０の編集画面は、beautyコースによって撮影が行われた後の編集処理時に表示される画面である。
【０１９２】
サムネイル画像表示領域４１１Ｌに表示されるサムネイル画像Ｐ１乃至Ｐ５は、編集対象画像生成部３３１により生成された編集対象の撮影画像を縮小した画像であり、角丸の画像になっている。beautyコースでの撮影が行われた後に表示される編集画面のサムネイル画像表示領域４１１Ｌには、角丸処理が施されるとともに、背景画像の合成処理が施された撮影画像を表すサムネイル画像が表示される。
【０１９３】
領域４０２Ｌの略中央に形成された比較的大きな編集領域４１２Ｌは、編集対象として選択された撮影画像の表示領域である。図２０の例においては１枚目の撮影画像が配置されている。利用者は、タッチペン１３２Ａを用いて編集ツールを選択し、編集領域４１２Ｌに表示された撮影画像の編集を行うことができる。編集領域４１２Ｌに表示される撮影画像も、編集対象画像生成部３３１により角丸処理などが施された画像である。
【０１９４】
編集領域４１２Ｌの左側のペンツール選択領域４１３Ｌは、手書き入力に用いられるペンツールの選択ボタンの表示領域である。ペンツール選択領域４１３Ｌには、線の種類、太さ、色の選択に用いられるボタンが複数表示される。ペンツール選択領域４１３Ｌの各ボタンは、編集画面が表示されている間、常時表示される。
【０１９５】
編集領域４１２Ｌの下の編集用パレット表示領域４１４Ｌは、スタンプ画像などの各種の編集ツールの選択に用いられる編集用パレットの表示領域である。編集用パレットに表示される編集ツールは「PROF-select」、「ROUGH-design」、「HIGH-design」のカテゴリ毎に分かれており、それぞれのカテゴリ名が付されたタブを選択することによって、編集用パレット表示領域４１４Ｌに表示させる編集ツールを切り替えることができるようになされている。
【０１９６】
図２０の例においては、「PROF-select」のカテゴリが選択され、「PROF-select」のカテゴリに属する編集ツールの選択ボタンが表示されている。「PROF-select」のカテゴリに属する編集ツールが、編集処理の開始時に入力されたプロフィールに応じて切り替わるようにしてもよい。
【０１９７】
編集領域４１２Ｌの右側の修正ツール選択領域４１５Ｌは、入力した編集を消すときに用いられるツールである消しゴムツールの選択に用いられるボタン、１つ前または１つ後の作業に戻るときに操作されるボタンなどが縦に並べて表示される領域である。
【０１９８】
修正ツール選択領域４１５Ｌの右側の一発落書きボタン４１６Ｌは、一発落書き機能を使って編集を行うときに操作されるボタンである。一発落書きボタン４１６Ｌの下には、領域４０２Ｒに跨る形で、編集時のBGMの設定を行うときに操作されるボタンの表示領域であるBGM設定領域４１７が形成される。
【０１９９】
編集用パレット表示領域４１４Ｌの右側には、メイクアップツールを利用するときに操作されるメイクアップツールボタン４１８Ｌと、サーバに送信する画像の編集を行うときに操作されるケータイおまけボタン４１９Ｌが表示される。縦長長方形のケータイおまけボタン４１９Ｌには、「MOBILE  ケータイおまけ」の文字とスマートフォンの外観の画像が表示されるとともに、スマートフォンの外観の画像に重ねて「PUSH」の文字が表示される。ケータイおまけボタン４１９Ｌに外観の画像が表示されているスマートフォンのディスプレイには、利用者が写る撮影画像が嵌め込まれている。
【０２００】
修正ツール選択領域４１５Ｌの上には、編集処理を終了するときに操作される終了ボタン４２０Ｌが表示される。
【０２０１】
タブレット内蔵モニタ１３１に向かって右側にいる利用者が使う領域４０２Ｒには、以上のような領域４０２Ｌの構成と同じ構成が位置を対称にして配置される。図２０の例においては、サムネイル画像表示領域４１１Ｒからサムネイル画像Ｐ３を選択することによって、３枚目の撮影画像が編集対象とされている。右側にいる利用者も、一発落書きボタン４１６Ｒを押すことによって、一発落書き機能を使って編集を行うことができる。
【０２０２】
図１９の説明に戻り、ステップＳ５８において、編集部３３３は、利用者による編集入力に従って撮影画像の編集を行う。
【０２０３】
ステップＳ５９において、表示制御部３３５は、編集画面の一発落書きボタン４１６Ｌまたは一発落書きボタン４１６Ｒが押されたか否かを判定する。
【０２０４】
一発落書きボタン４１６Ｌまたは一発落書きボタン４１６Ｒが押されたとステップＳ５９において判定された場合、ステップＳ６０において一発落書き処理が行われる。一発落書き処理は一発落書き機能を用いて行われる編集である。一発落書き処理については図２１のフローチャートを参照して後述する。
【０２０５】
一発落書きボタン４１６Ｌまたは一発落書きボタン４１６Ｒが押されていないとステップＳ５９において判定された場合、ステップＳ６０はスキップされる。
【０２０６】
ステップＳ６１において、編集部３３３は、編集終了か否かを判定し、編集終了ではないと判定した場合、ステップＳ５７に戻り、撮影画像の編集を続ける。撮影画像の編集は、終了ボタン４２０Ｌ，４２０Ｒが操作されるまで、または制限時間が経過するまで続けられる。
【０２０７】
一方、編集終了であるとステップＳ６１において判定された場合、表示制御部３３５は、配置処理部３３８により生成されたシール紙イメージに基づいて、タブレット内蔵モニタ１３１に分割数選択画面を表示させる。分割数選択画面は、配置処理部３３８が、加工部３３６により生成された加工画像を撮影画像や編集画像とともに所定の領域に配置することによって生成したシール紙イメージに基づいて表示される。
【０２０８】
分割数選択画面から所定のレイアウトが選択されたとき、ステップＳ６３において、利用者により選択された２つのレイアウトのシール紙イメージが記憶部２０２などに記憶される。その後、図１５のステップＳ４に戻り、それ以降の処理が行われる。
【０２０９】
次に、図２１のフローチャートを参照して、図１９のステップＳ６０において行われる一発落書き処理について説明する。
【０２１０】
ステップＳ８１において、表示制御部３３５は、見本画像のデータを見本画像記憶部３３９から読み出し、スライドパレットを表示させる。スライドパレットは見本画像の表示領域である。スライドパレットには複数の見本画像からなる見本画像群が表示される。
【０２１１】
スライドパレットは、一発落書きボタン４１６Ｌが操作された場合には領域４０２Ｌの右端付近、より詳細には修正ツール選択領域４１５Ｌの右上角付近から領域４０２Ｌの中央付近に向けて、一発落書きボタン４１６Ｒが操作された場合には領域４０２Ｒの右端付近から領域４０２Ｒの中央付近に向けて、スライド形式で出現する（スライドして移動する形式で動画表示が行われる）。以下、領域４０２Ｌにおけるスライドパレットの表示について主に説明するが、領域４０２Ｒにおいても同様にしてスライドパレットが表示される。
【０２１２】
図２２は、スライドの動作表示が進行している編集画面の表示例を示す図である。
【０２１３】
例えば一発落書きボタン４１６Ｌが操作された場合、図２２に示すように、略正方形のスライドパレット４５１は、領域４０２Ｌの右端付近から出現し、領域４０２Ｌの中央付近の所定の位置に向けてスライド形式で表示される。スライドの動作表示が進行中、スライドパレット４５１は、透明度（透過率）を徐々に下げ、かつ、大きさが徐々に大きくなるように表示される。
【０２１４】
図２２においてスライドパレット４５１に色を付していることは、スライドパレット４５１の透明度が０ではないことを示す。実際には、スライドの動作表示が進行中であるため、編集領域４１２Ｌに表示されている編集対象の撮影画像などが、スライドパレット４５１の下に透けて見えることになる。なお、透過度を０にしてスライドパレット４５１を表示させるようにしてもよい。
【０２１５】
図２３は、スライドパレット４５１の動作表示が終了された後の編集画面の表示例を示す図である。
【０２１６】
図２３の例においては、スライドパレット４５１は、位置＃１１に中心が位置するように表示されている。位置＃１１は、領域４０２Ｌの中央付近の位置である。スライドの動画表示終了後、スライドパレット４５１の透明度は０となり、スライドパレット４５１が重なっている部分の編集画面の構成は見えなくなる。
【０２１７】
図２３に示すように、スライドパレット４５１は、編集領域４１２Ｌの全体を覆うとともに、編集領域４１２Ｌの周りの構成を一部覆うようにして表示される。スライドパレット４５１の面積は、編集領域４１２Ｌの面積より広いことになる。一発落書きボタン４１６Ｌについては、スライドパレット４５１が重ならない右側の一部が表示されている。
【０２１８】
図２４は、スライドパレット４５１のスライドの動画表示の例を示す図である。
【０２１９】
図２４の２本の矢印で示すように、スライドパレット４５１は、上辺の高さを保って徐々に大きくなりながら、透明度を変えてスライド形式で表示される。右側のスライドパレット４５１は時刻ｔ１における表示の状態を示し、中央のスライドパレット４５１は時刻ｔ２における表示の状態を示す。左側のスライドパレット４５１は時刻ｔ３における表示の状態を示す。
【０２２０】
時刻ｔ２におけるスライドパレット４５１は、時刻ｔ１におけるスライドパレット４５１より左側にあり、大きく、かつ、透明度が低い（色が濃い）。また、時刻ｔ３におけるスライドパレット４５１は、時刻ｔ２におけるスライドパレット４５１より左側にあり、大きく、かつ、透明度が低い。
【０２２１】
このように、スライドパレット４５１は、面積と透明度が比例するようにフェードインしながら、スライド形式で出現し、表示される。
【０２２２】
図２５は、スライドパレット４５１を拡大して示す図である。
【０２２３】
スライドパレット４５１には、１２枚の見本画像である見本画像４６１−１乃至４６１−１２が表示される。１枚のスライドパレットに表示される見本画像の数は任意である。
【０２２４】
見本画像４６１−１乃至４６１−１２に写る２人の人物はモデルの人物であり、それぞれの見本画像には、異なる内容の編集が施されている。利用者は、好みの見本画像をタッチペン１３２Ａで選択することにより、選択した見本画像に施されている編集と同じ内容の編集を、編集対象の撮影画像に施すことができる。
【０２２５】
左上の見本画像４６１−１は、アップ画像の見本画像である。見本画像４６１−１の縦横比は、通常撮影や斜め撮影などによって得られたアップ画像と同じ、例えば1.2:1である。モデルの上半身が大きく写る他のアップ画像の見本画像も同様である。見本画像４６１−１は、モデルの人物の撮影画像に対して、「RUMOR」の文字、ハート型の画像などを含む合成用画像を合成するとともに、背景画像を人物の背景に合成して得られた画像である。
【０２２６】
スライドパレット４５１の中央右側に表示されている見本画像４６１−７は、全身画像の見本画像である。見本画像４６１−７の縦横比は、全身撮影によって得られた全身画像と同じ例えば4:3である。見本画像４６１−７は、モデルの人物の撮影画像に対して、各種の文字、ハート型の画像を含む合成用画像を合成するとともに、背景画像を人物の背景に合成して得られた画像である。
【０２２７】
図２３のスライドパレット４５１に表示されている見本画像は、見本画像４６１−７のみが全身画像の見本画像であり、他の見本画像はアップ画像の見本画像である。見本画像４６１−１以外のアップ画像の見本画像は、見本画像４６１−１より小さい。
【０２２８】
見本画像４６１−１の右側には、見本画像４６１−２乃至４６１−４が並べて表示される。見本画像４６１−７の左側には、見本画像４６１−５と見本画像４６１−６が並べて表示され、見本画像４６１−７の右側には見本画像４６１−８が表示される。見本画像４６１−８の下には、「タッチすると使えるよ」の文字が表示される。また、スライドパレット４５１の下方には、見本画像４６１−９乃至４６１−１２が横に並べて表示される。スライドパレット４５１の右上には、スライドパレットの表示を終了するときに操作される閉じるボタン４６２が表示される。
【０２２９】
このように、スライドパレット４５１には、撮影画像と同じ縦横比（画角）の見本画像が表示される。これにより、拡縮した際に綺麗に見えるとともに、編集のイメージを利用者がつかみやすい。
【０２３０】
また、図２５に記載されているように、スライドパレット４５１には、大きさの異なる見本画像が混在して表示される。これにより、大きい見本画像を他の見本画像より目立たせ、大きい見本画像の選択率を高めることができる。なお、大きい見本画像に施されている編集は、おすすめの編集であり、撮影画像に反映させたときに、よりデザイン性が高く、おしゃれな内容の編集とされる。例えば、文字やスタンプ画像の位置、大きさ等の配置が、人物の領域に大きくかからず、人物をより際立たせるような配置になっている。見本画像の大きさを統一することも可能である。
【０２３１】
おすすめの編集が施された見本画像の表示位置は、スライドパレット４５１の左上の位置とされる。視覚特性から利用者は左上の画像を最初に見るため、よりデザイン性の高い内容の編集が施された見本画像の選択率を高めることができる。
【０２３２】
さらに、スライドパレット４５１には、全身撮影が行われないbeautyコースで撮影が行われた後の編集時に表示されるものであっても、アップ画像の見本画像と全身画像の見本画像とが混在して表示される。
【０２３３】
これにより、アップ画像の見本画像だけを表示したり、全身画像の見本画像だけを表示したりする場合と較べて、単調さをなくし、スライドパレット４５１をおしゃれな形で表現することが可能になる。また、現在選択している編集対象の画像がアップ画像である場合であっても、全身画像を編集するときのイメージを確認したり、現在選択している編集対象の画像が全身画像である場合であっても、アップ画像を編集するときのイメージを確認したりすることができる。
【０２３４】
当然、アップ画像の見本画像と全身画像の見本画像とが混在するスライドパレットが、edgyコースで撮影が行われた後の編集時にのみ表示されるようにすることも可能である。
【０２３５】
図２６は、見本画像４６１−５の構成を示す図である。
【０２３６】
図２６Ａは見本画像４６１−５を拡大して示す。図２６Ｂは、見本画像４６１−５に用いられている、手書き風の「LOVE」の文字とハート型の図形を含む合成用画像を示す。図２６Ｃはモデルの人物が写る撮影画像を示し、図２６Ｄは全体が黒の背景画像を示す。見本画像４６１−５は、図２６Ｃの撮影画像に写る人物の背景に図２６Ｄの背景画像を合成するとともに、図２６Ｂの合成用画像を重ねて合成して得られた画像である。
【０２３７】
beautyコースでの撮影が行われた後の編集時には、見本画像として、合成用画像を合成するだけでなく、撮影画像に背景画像を合成して得られた画像が用いられる。一発落書き機能により、編集開始時（図１９のステップＳ５４）に選択した背景画像も変えることができることになる。
【０２３８】
図２７は、edgyコースで撮影が行われた後の編集時に表示される見本画像の構成例を示す図である。
【０２３９】
図２７Ａは、edgyコースで撮影が行われた後の編集時にスライドパレットに表示される見本画像群のうちの１つの見本画像を拡大して示す。図２７Ｂは、図２７Ａの見本画像に用いられている、手書き風の文字とハート型の図形を含む合成用画像を示し、図２６Ｃはモデルの人物が写る撮影画像を示す。
【０２４０】
edgyコースで撮影が行われた後の編集時にはクロマキー処理が行われないため、見本画像として、背景画像が合成されていない画像が用いられる。
【０２４１】
図２１の説明に戻り、ステップＳ８２において、表示制御部３３５は、タッチペン１３２Ａ，１３２Ｂによって、スライドパレット４５１上でフリック操作が行われたか否かを判定する。フリック操作は、タッチペン１３２Ａ，１３２Ｂをタブレット内蔵モニタ１３１の表面に当て、その後、所定の方向にスライドさせる操作である。
【０２４２】
フリック操作が行われたとステップＳ８２において判定した場合、ステップＳ８３において、表示制御部３３５はスライドパレット４５１の表示を切り替える。新たに表示されたスライドパレット４５１には異なる見本画像群が表示される。
【０２４３】
図２８は、スライドパレット４５１の表示の切り替えのイメージを示す図である。
【０２４４】
図２８の中央に示す縦長の長方形の枠は領域４０２Ｌを示す。また、環状に配置されている５つの正方形の枠はスライドパレットを示す。各スライドパレットには、異なる内容の編集が施された見本画像群が含まれる。
【０２４５】
このように、複数のスライドパレットが仮想的に環状に配置されており、領域４０２Ｌに表示されるスライドパレットが利用者によるフリック操作に応じて切り替えられる。
【０２４６】
例えば、領域４０２Ｌにスライドパレット４５１Ａが表示されている場合、右方向のフリック操作が行われる毎に、スライドパレット４５１Ｂ、スライドパレット４５１Ｃ、スライドパレット４５１Ｄ、スライドパレット４５１Ｅ、スライドパレット４５１Ａ、・・・の順に表示が切り替えられる。また、左方向のフリック操作が行われる毎に、スライドパレット４５１Ｅ、スライドパレット４５１Ｄ、スライドパレット４５１Ｃ、スライドパレット４５１Ｂ、スライドパレット４５１Ａ、・・・の順に表示が切り替えられる。
【０２４７】
それぞれのスライドパレットは、図２２乃至図２４を参照して説明したように、左方向のフリック操作が行われた場合には領域４０２Ｌの右端から、右方向のフリック操作が行われた場合には領域４０２Ｌの左端から出現し、透明度を下げながらスライド形式で表示される。
【０２４８】
図２９は、スライドパレットの移動（特定の見本画像群が表示されている状態からスライドして、別の見本画像群を表示する状態への表示の切り替え）の例を示す図である。
【０２４９】
図２９のグラフの横軸は時刻を示し、縦軸は速さ（スライド速度）を示す。フリック操作が時刻ｔ０において行われた場合、所定の時間経過後の時刻ｔ１１までの間、表示制御部３３５は、徐々に速さを上げながらスライドパレットをスライドさせる。また、表示制御部３３５は、時刻ｔ１１から、スライド表示が終了する時刻ｔ１３から所定の時間だけ前の時刻である時刻ｔ１２までの間、一定の速度でスライドパレットをスライドさせる。表示制御部３３５は、時刻ｔ１２になったとき、時刻ｔ１３まで、徐々に速さを下げながらスライドパレットをスライドさせる。
【０２５０】
このように、表示制御部３３５は、途中は速く移動し、最初と最後はゆっくり移動するようにスライドパレットを表示させる。
【０２５１】
また、表示制御部３３５は、フリック操作の入力位置と終了位置を特定するとともに、入力時刻と終了時刻を特定し、タッチペン１３２Ａ，１３２Ｂの移動距離が一定以上である場合にはスライドパレットの表示を切り替え、一定未満である場合にはスライドパレットの表示を切り替えない。タッチペン１３２Ａ，１３２Ｂの移動距離が一定以上の距離である場合、特定した時間と移動距離に基づいて算出したタッチペン１３２Ａ，１３２Ｂの速さや加速度に応じて、スライドパレットの移動速度を変更することによっても、自然なスライド形式での表示を実現することが可能になる。
【０２５２】
このように、利用者は、フリック操作によってスライドパレットを次々と切り替え、好みの編集が施されている見本画像を探すことができる。図２１のステップＳ８２においてフリック操作が行われていないと判定された場合、ステップＳ８３の処理はスキップされる。
【０２５３】
ステップＳ８４において、表示制御部３３５は、スライドパレットから見本画像が選択されたか否かを判定する。
【０２５４】
見本画像が選択されていないとステップＳ８４において判定した場合、ステップＳ８５において、表示制御部３３５は、閉じるボタン４６２が押されたか否かを判定する。閉じるボタン４６２が押されていないとステップＳ８５において判定された場合、ステップＳ８２に戻り、それ以降の処理が行われる。
【０２５５】
一方、スライドパレットから見本画像が選択されたとステップＳ８４において判定した場合、ステップＳ８６において、編集部３３３は、選択された見本画像に施されている編集を編集対象の撮影画像に反映させる。
【０２５６】
すなわち、編集部３３３は、選択された見本画像に合成されている合成用画像と同じ合成用画像のデータを合成用画像記憶部３３７から読み出し、利用者により選択されている編集対象の撮影画像に合成する。
【０２５７】
また、編集部３３３は、見本画像に背景画像が合成されている場合、それと同じ背景画像のデータを合成用画像記憶部３３７から読み出し、クロマキー処理を行って、編集対象の撮影画像に写る人物の背景に合成する。編集部３３３は、見本画像に施されている編集を反映させて得られた編集画像を編集画像記憶部３３４に記憶させる。
【０２５８】
ステップＳ８７において、表示制御部３３５は、スライドパレットに重ねてポップアップウインドウを表示させ、編集部３３３により生成された編集画像を見本合成画像として表示させる。
【０２５９】
図３０は、ポップアップウインドウを含むスライドパレットの表示例を示す図である。
【０２６０】
スライドパレット４５１から見本画像が選択された場合、図３０に示すように、略正方形のポップアップウインドウ４７１がスライドパレット４５１に重ねて表示される。ポップアップウインドウ４７１の面積は、スライドパレット４５１の面積より狭いが、編集領域４１２Ｌの面積より広い。
【０２６１】
ポップアップウインドウ４７１の中央上方には「こんな感じになるよ」のメッセージが表示され、その下に見本合成画像４８１が表示される。見本合成画像４８１は、編集対象として選択され、図２０の編集領域４１２Ｌに表示されている撮影画像に対して、見本画像４６１−５に施されている編集を反映させた編集画像である。すなわち、図３０のポップアップウインドウ４７１は、図２５のスライドパレット４５１において見本画像４６１−５が選択された場合に表示されるものである。
【０２６２】
図３０に示すように、見本合成画像４８１には、図２６Ｂの合成用画像が合成されるとともに、利用者の背景として図２６Ｄの背景画像が合成されている。見本合成画像４８１の下には、見本合成画像４８１を編集画像として使うときに操作されるボタン４８２と、見本合成画像４８１を使わないときに操作されるボタン４８３が表示される。
【０２６３】
スライドパレット４５１に重ねてポップアップウインドウ４７１を表示することにより、見本合成画像を目立つ形で表示し、利用者に確認させることが可能になる。また、利用者は、見本画像で使われている編集を反映したときの撮影画像を確認し、編集画像として実際に使うか否かを選択することができる。
【０２６４】
図２１のステップＳ８８において、表示制御部３３５は、見本合成画像を使うことが選択されたか否かを判定する。
【０２６５】
見本合成画像を使うことが選択されていない、すなわち、ボタン４８３が操作されたとステップＳ８８において判定した場合、ステップＳ８９において、表示制御部３３５は、見本合成画像を含むポップアップウインドウ４７１の表示を終了させる。編集画面の表示は、ポップアップウインドウ４７１の表示前の、スライドパレット４５１が表示されている状態に戻ることになる。その後、ステップＳ８２に戻り、それ以降の処理が行われる。
【０２６６】
一方、ボタン４８２が操作されたことから、見本合成画像を使うことが選択されたとステップＳ８８において判定した場合、ステップＳ９０において、表示制御部３３５は、ポップアップウインドウ４７１を含むスライドパレット４５１の表示を消す。スライドパレット４５１は、表示開始時と反対に、透明度を徐々に上げ（フェードアウトし）、スライド形式で消される。その後、図１９のステップＳ６０に戻り、それ以降の処理が行われる。
【０２６７】
ポップアップウインドウ４７１の閉じ方としては、ボタン４８２，４８３を押す方法の他に、終了ボタン４２０Ｌを押す方法もある。ポップアップウインドウ４７１の表示中、利用者が見本画像を使う（ボタン４８２を押す）意思があると考えられるため、ボタン４８２，４８３、終了ボタン４２０Ｌ以外はタッチペン１３２Ａを用いた操作が不可となる。終了ボタン４２０Ｌを押した場合、フェードアウトするのではなく、ポップアップウインドウ４７１はすぐに消える。
【０２６８】
図３１は、見本合成画像を使うことが選択された場合の編集画面の表示例を示す図である。
【０２６９】
図３１に示すように、スライドパレット４５１が消えた後の編集画面においては、見本合成画像４８１と同じ画像が編集対象の画像として編集領域４１２Ｌに表示される。利用者は、編集領域４１２Ｌに表示されている、一発落書き機能を利用して編集した画像に対して、さらに編集を施すことができる。
【０２７０】
なお、スライドパレット４５１から見本画像４６１−５が選択されたとき、ポップアップウインドウ４７１を表示することなく、直接、図３１の編集画面が表示されるようにしてもよい。これにより、一発落書き機能を使った後、すぐに編集を再開することが可能になる。
【０２７１】
スライドパレット４５１の閉じるボタン４６２が押されたとステップＳ８５において判定された場合も同様に、ステップＳ９０においてスライドパレット４５１の表示は消される。その後、図１９のステップＳ６０以降の処理が行われる。閉じるボタン４６２ではなく、一発落書きボタン４１６Ｌのうちのスライドパレット４５１が重なっていない部分が押されたときも同様に、スライドパレット４５１の表示は消される。
【０２７２】
このように、利用者は、一発落書き機能を使って、デザイン性の高い編集を容易に行うことができる。また、複数の見本画像が１枚のスライドパレットに一覧表示され、それをフリック操作といった直感的な操作で切り替えることができることから、見本画像を効率的に確認し、好みの編集を容易に探し出すことが可能になり、多くの見本画像を見せながら、スムーズな動き（表示方法）により探し出すのに時間がかからない。
【０２７３】
スライドパレット４５１の閉じ方としては、閉じるボタン４６２、一発落書きボタン４１６Ｌを押す方法の他に、サムネイル画像表示領域４１１Ｌに表示されているサムネイル画像Ｐ１〜Ｐ５を押す方法、終了ボタン４２０Ｌを押す方法、および、見本画像を選択し、ポップアップウインドウ４７１においてボタン４８２を押す方法もある。スライドパレット４５１の表示中、タッチペン１３２Ａを用いた上記以外の操作は不可となる。
【０２７４】
閉じるボタン４６２、一発落書きボタン４１６Ｌを押した場合、スライドパレット４５１はフェードアウトする。一方、サムネイル画像Ｐ１〜Ｐ５を押した場合、フェードアウトするのではなく、スライドパレット４５１はすぐに消える。サムネイル画像Ｐ１〜Ｐ５を押した場合にすぐに消すようにした理由は、別のサムネイル画像を編集したいという利用者の意思表示が表れているためであり、すぐに消すことで、利用者にストレスを感じさせない。
【０２７５】
［編集処理について］
ここで、合成用画像を用いた編集部３３３による編集処理について説明する。
【０２７６】
・例１
図３２は、見本画像と合成用画像の例を示す図である。
【０２７７】
図３２Ａは見本画像を示す。図３２Ａの見本画像はアップ画像の見本画像であり、２人のモデルの撮影画像に対して手書き風の「Love my friend」の文字を含む合成用画像が合成されている。
【０２７８】
上述したように、スライドパレット４５１には、アップ画像の見本画像と全身画像の見本画像とが混在して表示されており、編集対象の撮影画像がアップ画像である場合であっても全身画像の見本画像を選択することができ、また、編集対象の撮影画像が全身画像である場合であってもアップ画像の見本画像を選択することができるようになされている。
【０２７９】
アップ画像の縦横比と全身画像の縦横比が異なることから、図３２Ａの１つの見本画像に対して、図３２Ｂ，Ｃに示すように、アップ画像との合成に用いる合成用画像と全身画像との合成に用いる合成用画像とが用意され、合成用画像記憶部３３７に記憶される。アップ画像との合成に用いる合成用画像と全身画像との合成に用いる合成用画像は、いずれも、見本画像に含まれる合成用画像と同じ内容の画像である。
【０２８０】
図３２Ｂの合成用画像は、図３２Ａの見本画像が選択され、編集対象の撮影画像がアップ画像である場合に用いられる合成用画像である。図３２Ｂの合成用画像の縦横比は、アップ画像の縦横比と同じ1.2:1である。
【０２８１】
一方、図３２Ｃの合成用画像は、図３２Ａの見本画像が選択され、編集対象の撮影画像が全身画像である場合に用いられる合成用画像である。図３２Ｃの合成用画像の縦横比は、全身画像の縦横比と同じ4:3である。
【０２８２】
編集部３３３は、スライドパレット４５１から見本画像が選択された場合、編集対象の画像がアップ画像であるか、全身画像であるかに応じて、合成用画像を切り替えて編集を行うことになる。
【０２８３】
図３３は、編集画像の例を示す図である。
【０２８４】
図３３Ａは、編集対象のアップ画像に対して、図３２Ｂの合成用画像を合成して得られた編集画像を示し、図３３Ｂは、編集対象の全身画像に対して、図３２Ｃの合成用画像を合成して得られた編集画像を示す。
【０２８５】
このように、１つの見本画像に対して、アップ画像との合成に用いる合成用画像と、全身画像との合成に用いる合成用画像を用意しておくことにより、１つの合成用画像を編集対象の撮影画像の縦横比に合わせて用いる場合に較べて、処理を軽減することが可能になる。また、縦横比を合わせたときに文字や図形が歪んでしまうことがあるが、そのようなことを防ぐことができる。
【０２８６】
・例２
１つの見本画像に対して１つの合成用画像が用意されており、編集時に、合成用画像の配置位置を、見本画像と編集対象の画像の縦横比に基づいて算出し、合成するようにしてもよい。例えば、アップ画像の見本画像に対しては、アップ画像の縦横比と同じ1.2:1の縦横比の合成用画像が用意され、全身画像の見本画像に対しては、全身画像の縦横比と同じ4:3の縦横比の合成用画像が用意される。
【０２８７】
編集部３３３は、スライドパレット４５１からアップ画像の見本画像が選択された場合、編集対象の撮影画像がアップ画像であるときには、予め用意されている合成用画像を用いて編集を行い、編集対象の撮影画像が全身画像であるときには、合成用画像の配置位置を算出して編集を行うことになる。
【０２８８】
また、編集部３３３は、スライドパレット４５１から全身画像の見本画像が選択された場合、編集対象の撮影画像が全身画像であるときには、予め用意されている合成用画像を用いて編集を行い、編集対象の撮影画像がアップ画像であるときには、合成用画像の配置位置を算出して編集を行うことになる。
【０２８９】
・例３
文字や図形を含む範囲を合成用画像から切り出し、切り出した範囲の画像をそのまま合成に用いるようにしてもよい。この場合、見本画像や編集対象の画像の縦横比は無視される。
【０２９０】
図３４は、合成用画像からの切り出しの例を示す図である。
【０２９１】
図３４Ａの見本画像は、図３３Ａの見本画像と同じ画像である。この場合、編集部３３３は、見本画像上に一点鎖線で囲んで示す範囲を文字や図形を含む範囲として認識し、この範囲を、図３４Ａの見本画像に対して用意されている合成用画像から切り出す。
【０２９２】
編集部３３３は、編集対象の撮影画像がアップ画像である場合、図３４Ｂに示すように、切り出した範囲の画像を編集対象のアップ画像にそのまま合成する。また、編集部３３３は、編集対象の撮影画像が全身画像である場合、図３４Ｃに示すように、切り出した範囲の画像を編集対象の全身画像にそのまま合成する。切り出した範囲の画像が全身画像からはみ出した場合は、全身画像の大きさに併せて縮小して合成するようにしてもよい。
【０２９３】
・例４
図３４Ａに示すようにして切り出した範囲から、編集対象の画像の縦横比に応じた一部の範囲をさらに切り出し、切り出した範囲のみを合成に用いるようにしてもよい。この場合、図３４Ａに示すようにして切り出した範囲のうちの非特徴部分が算出され、特徴部分が合成に用いられる。なお、非特徴部分とは、人物等が表示されていない部分をいう。
【０２９４】
［変形例］
・例１（スライドパレットの表示例）
以上においては、アップ画像の見本画像と全身画像の見本画像が同じスライドパレットに混在して表示されるものとしたが、スライドパレット毎に、見本画像の種別を分けて表示するようにしてもよい。この場合、アップ画像の見本画像のみが表示されるスライドパレットと全身画像の見本画像のみが表示されるスライドパレットが用意され、利用者は、フリック操作によってそれらのスライドパレットの表示を切り替えることになる。これにより、見本画像の一覧性を向上させることができる。
【０２９５】
・例２（一発落書きの機能を繰り返し使う場合の例）
所定の見本画像が選択され、見本画像に施されている編集を反映させた後に、再度、見本画像が選択された場合、後から選択された見本画像に施されている編集が反映済みの編集に替えて反映されるようにしてもよいし、後から選択された見本画像に施されている編集が重畳して反映されるようにしてもよい。
【０２９６】
例えば、一発落書き機能によって図３３Ａの編集画像が生成されている場合において、図３３Ａの編集画像を編集対象として、さらに、図２６の見本画像４６１−５が選択されたときについて説明する。
【０２９７】
この場合、編集内容を替えるときには、図３３Ａの編集画像に合成されている「Love my friend」の文字に替えて、図２６Ｂの合成用画像が合成されることになる。また、編集内容を重畳するときには、図３３Ａの編集画像に合成されている「Love my friend」の文字の上に、図２６Ｂの合成用画像が合成されることになる。
【０２９８】
・例３（フリック操作の適用例１）
スライドパレットの切り替え以外の操作をフリック操作によって行うことができるようにすることも可能である。
【０２９９】
図３５は、一発落書き機能を用いた編集画像の表示の切り替えの例を示す図である。
【０３００】
表示画面５０１が、例えば編集画面上にポップアップウインドウの形で表示される画面である。表示画面５０１には１枚の画像が表示される。
【０３０１】
仮想的に、５枚の撮影画像である撮影画像５１１乃至５１５が上下に並べて配置される。利用者は、矢印＃３１に示す上下方向のフリック操作によって、編集対象の撮影画像を切り替えることができる。
【０３０２】
また、仮想的に、４種類の合成用画像である合成用画像５２１乃至５２４が横に並べて配置される。利用者は、矢印＃３２に示す左右方向のフリック操作によって、編集対象の撮影画像との合成に用いる合成用画像を切り替えることができる。
【０３０３】
図３５に示すように、撮影画像５１２が表示されている状態で、右方向のフリック操作が１回行われた場合、表示画面５０１には、撮影画像５１２に対して、左隣にある合成用画像５２１を合成して得られた編集画像Ａが表示される。
【０３０４】
また、撮影画像５１２が表示されている状態で、左方向のフリック操作が１回行われた場合、表示画面５０１には、撮影画像５１２に対して、右隣にある合成用画像５２２を合成して得られた編集画像Ｂが表示される。
【０３０５】
編集画像Ｂが表示されている状態で、左方向のフリック操作が１回行われた場合、表示画面５０１には、編集画像Ｂに替えて、撮影画像５１２に対して、合成用画像５２３を合成して得られた編集画像Ｃが表示される。
【０３０６】
編集画像Ｃが表示されている状態で、左方向のフリック操作が１回行われた場合、表示画面５０１には、編集画像Ｃに替えて、撮影画像５１２に対して、合成用画像５２４を合成して得られた編集画像Ｄが表示される。
【０３０７】
上下方向のフリック操作が行われ、他の撮影画像が編集対象の画像として選択されている場合も同様にして、左右方向のフリック操作に応じて合成用画像が切り替えられ、表示画面５０１に表示される画像が順次切り替えられる。
【０３０８】
矢印＃３３に示す斜め方向のフリック操作に応じて、編集対象の撮影画像と、それに合成する合成用画像の両方を切り替えることができるようにしてもよい。枠Ｆ１１乃至Ｆ１２は、それぞれ、合成用画像５２１乃至５２４と同じ合成用画像を示す。
【０３０９】
・例４（フリック操作の適用例２）
上述したように、写真シール作成装置１においては、グレースケール表示にするなどの、撮影画像の全画素を対象とした加工が施される。加工の内容を選択する画面の表示を、フリック操作によって切り替えることができるようにしてもよい。
【０３１０】
図３６は、加工内容の選択画面の例を示す図である。
【０３１１】
図３６の選択画面は、左右に領域５３１Ｌと領域５３１Ｒが形成されることによって構成される。領域５３１Ｌには、２人のモデルの人物が写る撮影画像に対してそれぞれ異なる加工を施して得られた１２枚の加工見本画像である加工見本画像５４１−１乃至５４１−１２が、横に４枚、縦に３枚ずつ並べて表示される。
【０３１２】
利用者は、例えば左右方向のフリック操作を行うことにより、加工見本画像５４１−１乃至５４１−１２に替えて、他の加工見本画像群を領域５３１Ｌに表示させることができる。
【０３１３】
加工見本画像５４１−１乃至５４１−１２の下には、前の画面に戻るときに操作される戻るボタン５４３Ｌ、加工の内容を決定するときに操作されるボタン５４２Ｌ、ケータイおまけの作成を終了するときに操作されるボタン５４４Ｌが表示される。図３６の選択画面は、例えば、図２０の編集画面においてケータイおまけボタン４１９Ｌ，４１９Ｒが操作されたときにタブレット内蔵モニタ１３１に表示される画面である。
【０３１４】
このように、各種の画面の表示をフリック操作によって切り替えることができるようにしてもよい。例えば、編集用パレット表示領域４１４Ｌ，４１４Ｒに表示される編集ツールの表示を、フリック操作によって切り替えることができるようにしてもよい。
【０３１５】
・例５（見本画像の変形例１）
以上においては、スライドパレットに表示される見本画像が予め用意されているものとしたが、編集開始時に入力された利用者の名前やプロフィールなどに応じて、表示制御部３３５により見本画像が生成され、新たに生成された見本画像がスライドパレットに表示されるようにしてもよい。
【０３１６】
プロフィールの入力は、例えば、タブレット内蔵モニタ１３１に表示された質問に答える形で行われる。例えば、「今日は誰と撮影した？」などの質問に対して、利用者は、選択肢の中から選択することで、「友達と撮影した」などのプロフィールを入力する。また、「今日は何をするの？」などの質問が表示され、利用者は、選択肢の中から選択することで、「誕生日」、「デート」などのプロフィールを入力する。
【０３１７】
スライドパレットを用いて表示される見本画像は全部で例えば５５種類とされ、そのうち、４５種類は予め用意されている見本画像が用いられる。１０種類は、利用者が入力したプロフィールの内容に基づいて生成された見本画像が用いられる。
【０３１８】
例えば、「今日は誰と撮影した？」の質問に対して「友達と撮影した」のプロフィールが入力され、「今日は何をするの？」の質問に対して「誕生日」のプロフィールが入力された場合、誕生日を表すケーキ、クラッカー等のスタンプ画像と「○○ちゃん、お誕生日おめでとう！」等のメッセージが配置された見本画像が生成され、スライドパレットに表示される。
【０３１９】
利用者は、その見本画像を選択することによって、誕生日を表すスタンプ画像と「○○ちゃん、お誕生日おめでとう！」等のメッセージを編集対象の撮影画像に合成することが可能になる。
【０３２０】
このように、見本画像の内容がプロフィールに応じて変化することにより、利用者の用途にあった見本画像が表示されることから不要な見本画像を見る必要がなく、利用者は、好みの見本画像を容易に選択することが可能になる。プロフィールに基づいて生成された見本画像群は１つのスライドパレットにまとめて表示される。
【０３２１】
図３７は、スライドパレットの組み合わせの例を示す図である。
【０３２２】
スライドパレット６０１は、プロフィールに基づいて生成された見本画像群を表示するスライドパレット（プロフィールセレクトパレット）であり、スライドパレット６０２乃至６０４は、予め用意された見本画像群を表示するスライドパレットである。スライドパレット６０１乃至６０４の表示が、上述したようなユーザのフリック操作に応じて切り替えられる。
【０３２３】
図２５のスライドパレット４５１には１２枚の見本画像群が表示されるものとしたが、スライドパレット６０１には、プロフィールに基づいて生成された１０枚の見本画像群が表示される。また、スライドパレット６０２乃至６０４には、それぞれ、１５枚の見本画像群が表示される。利用者は、５５枚の見本画像の中から、好みの見本画像を選択することができる。スライドパレット６０１乃至６０４は、図２３に示すスライドパレット４５１より大きく編集画面上に表示される。
【０３２４】
図３８は、プロフィールセレクトパレットであるスライドパレット６０１の表示例を示す図である。編集画面の構成は図２０の構成と同じである。
【０３２５】
図２２、図２３等を参照して説明したように、一発落書きボタン４１６Ｌが押されたとき、スライドの動作表示を経て、領域４０２Ｌにスライドパレット６０１が表示される。スライドパレット６０１の上段には見本画像６１１−１乃至６１１−３が表示され、中段には見本画像６１１−４乃至６１１−７が表示される。スライドパレット６０１の下段には見本画像６１１−８乃至６１１−１０が表示される。スライドパレット６０１の下方には、スライドパレット６０１を閉じるときに操作される閉じるボタン６１２が表示される。
【０３２６】
見本画像６１１−１と見本画像６１１−１０は他の見本画像より大きい。中段の見本画像６１１−４乃至６１１−７は、上下方向の位置を互いに若干ずらして表示される。なお、図３８の例においては見本画像の枠しか表示していないが、モデルが写る画像に対してプロフィールに応じた編集を施して得られた画像が見本画像６１１−１乃至６１１−１０として表示される。見本画像６１１−１，６１１−２，６１１−５，６１１−７，６１１−９，６１１−１０はアップ画像の見本画像であり、見本画像６１１−３，６１１−４，６１１−６，６１１−８は全身画像の見本画像である。
【０３２７】
このように、プロフィールセレクトパレットであるスライドパレット６０１においては、表示される見本画像の数が、通常のスライドパレット（スライドパレット６０２乃至６０４）に表示される見本画像の数より少ない。これにより、見やすさを確保するようになされている。
【０３２８】
図３９は、スライドパレット６０２の表示例を示す図である。
【０３２９】
例えば図３８のスライドパレット６０１上で左方向のフリック操作が行われた場合、図３９に示すように、領域４０２Ｌには、スライドの動作表示を経て、スライドパレット６０１に代えてスライドパレット６０２が表示される。
【０３３０】
スライドパレット６０２の一段目には見本画像６２１−１乃至６２１−４が表示され、二段目には見本画像６２１−５乃至６２１−８が表示される。スライドパレット６０２の三段目には見本画像６２１−９乃至６２１−１１が表示され、四段目には見本画像６２１−１２乃至６２１−１５が表示される。スライドパレット６０２の下方には、スライドパレット６０２を閉じるときに操作される閉じるボタン６２２が表示される。
【０３３１】
見本画像６２１−１と見本画像６２１−１５は他の見本画像より大きい。一段目の見本画像６２１−１乃至６２１−４と、四段目の見本画像６２１−１２乃至６２１−１５は、それぞれ、上下方向の位置を互いに若干ずらして表示される。図３９の例においても見本画像の枠しか表示していないが、予め用意されている、モデルが写る画像に対して編集を施して得られた画像が見本画像６２１−１乃至６２１−１５として表示される。見本画像６２１−１乃至６２１−１２，６２１−１４はアップ画像の見本画像であり、見本画像６２１−１３，６２１−１５は全身画像の見本画像である。
【０３３２】
スライドパレット６０３，６０４にも、異なる編集が施された１５枚の見本画像群がそれぞれ表示される。
【０３３３】
各スライドパレットにおける見本画像の位置等の表示形式についてはランダムに決定される。表示形式がランダムに決定されることにより、常に新しい見本画像があるような感覚を利用者に与えることができる。
【０３３４】
・例６（見本画像の変形例２）
見本画像に写る人物がモデルの人物であるものとしたが、利用者自身が写る撮影画像に基づいて見本画像が生成され、スライドパレットに表示されるようにしてもよい。例えば、５枚の撮影画像の中から１枚の撮影画像が選択され、選択された撮影画像に各種の合成用画像を合成することによって複数の見本画像が生成される。
【０３３５】
これにより、見本画像に施されている編集を反映させたときのイメージをつかみやすくすることが可能になる。
【０３３６】
・例７（スライドパレットの出現態様）
スライドパレットがスライド形式で出現し、表示されるものとしたが、ワイプ形式、フロートイン形式等、他の出現態様が用いられるようにしてもよい。
【０３３７】
本発明の実施の形態は、上述した実施の形態に限定されるものではなく、本発明の要旨を逸脱しない範囲において種々の変更が可能である。
【符号の説明】
【０３３８】
１  写真シール作成装置，  １１  撮影ユニット，  １２  編集ユニット，  ２０１  制御部，  ３０１  撮影処理部，  ３０２  編集処理部，  ３０３  印刷処理部，  ３１１  撮影制御部，  ３１２  トリミング処理部，  ３１３  表示制御部，  ３１４  調整部，  ３１５  撮影画像記憶部，  ３３１  編集対象画像生成部，  ３３２  編集対象画像記憶部，  ３３３  編集部，  ３３４  編集画像記憶部，  ３３５  表示制御部，  ３３６  加工部，  ３３７  合成用画像記憶部，  ３３８  配置処理部，  ３３９  見本画像記憶部
【図１】
2015034936.tif 000003
【図２】
2015034936.tif 000004
【図３】
2015034936.tif 000005
【図４】
2015034936.tif 000006
【図５】
2015034936.tif 000007
【図６】
2015034936.tif 000008
【図７】
2015034936.tif 000009
【図８】
2015034936.tif 000010
【図９】
2015034936.tif 000011
【図１０】
2015034936.tif 000012
【図１１】
2015034936.tif 000013
【図１２】
2015034936.tif 000014
【図１３】
2015034936.tif 000015
【図１４】
2015034936.tif 000016
【図１５】
2015034936.tif 000017
【図１６】
2015034936.tif 000018
【図１７】
2015034936.tif 000019
【図１８】
2015034936.tif 000020
【図１９】
2015034936.tif 000021
【図２０】
2015034936.tif 000022
【図２１】
2015034936.tif 000023
【図２２】
2015034936.tif 000024
【図２３】
2015034936.tif 000025
【図２４】
2015034936.tif 000026
【図２５】
2015034936.tif 000027
【図２６】
2015034936.tif 000028
【図２７】
2015034936.tif 000029
【図２８】
2015034936.tif 000030
【図２９】
2015034936.tif 000031
【図３０】
2015034936.tif 000032
【図３１】
2015034936.tif 000033
【図３２】
2015034936.tif 000034
【図３３】
2015034936.tif 000035
【図３４】
2015034936.tif 000036
【図３５】
2015034936.tif 000037
【図３６】
2015034936.tif 000038
【図３７】
2015034936.tif 000039
【図３８】
2015034936.tif 000040
【図３９】
2015034936.tif 000041